(57)【要約】本発明は、デュアルコネクティビティにおいてスモールセルでランダムアクセスを行う方法を開示する。前記方法は、ユーザ装置（ＵＥ）は指定スモールセルで前記指定スモールセルに対応する専用ランダムアクセスプリアンブルコードを前記指定スモールセルが属している基地局へ送信することと、ＵＥはデュアルコネクティビティにおいてマスターコントロールセルが属している基地局または前記指定スモールセルが属している基地局から送信されたランダムアクセス応答メッセージを受信することとを含む。本発明には、デュアルコネクティビティにおいてスモールセルでランダムアクセスを行うシステム、基地局、ＵＥおよびコンピューター記憶媒体が同時に開示された。【選択図】図２
2016532338.tif 000002
【特許請求の範囲】
【請求項１】
デュアルコネクティビティにおいてスモールセルでランダムアクセスを行う方法であって、
ユーザーデバイス（ＵＥ）は、指定スモールセルで前記指定スモールセルに対応する専用ランダムアクセスプリアンブルコードを前記指定スモールセルが属している基地局へ送信することと、
前記ＵＥは、デュアルコネクティビティにおいてマスターコントロールセルが属している基地局または前記指定スモールセルが属している基地局から送信されたランダムアクセス応答メッセージを受信することとを含む、方法。
【請求項２】
前記ＵＥが指定スモールセルで前記指定スモールセルに対応する専用ランダムアクセスプリアンブルコードを前記指定スモールセルが属している基地局へ送信する前に、前記方法は、さらに、
前記ＵＥは、デュアルコネクティビティにおいてマスターコントロールセルが属している基地局と前記指定スモールセルが属している基地局との協議結果及び通知された前記指定スモールセルに基づいて、前記指定スモールセルに対応する専用ランダムアクセスプリアンブルコードを確定すること、または、
前記ＵＥは、デュアルコネクティビティにおいてマスターコントロールセルが属している基地局と前記指定スモールセルが属している基地局との協議結果及び通知された前記専用ランダムアクセスプリアンブルコードに対応する専用ランダムアクセスプリアンブルパラメータに基づいて、前記指定スモールセルを確定することとを含み、
前記協議結果には、前記マスターコントロールセルが属している基地局及び前記指定スモールセルが属している基地局それぞれの専用ランダムアクセスプリアンブルリソースが含まれる
ことを特徴とする請求項１に記載の方法。
【請求項３】
デュアルコネクティビティにおいてスモールセルでランダムアクセスを行う方法であって、
デュアルコネクティビティにおいてマスターコントロールセルが属している基地局は、ＵＥが指定スモールセルでランダムアクセスプロセスを開始するように通知し、および／または前記指定スモールセルの専用ランダムアクセスプリアンブルコードに対応する専用ランダムアクセスプリアンブルパラメータを通知することを含む、方法。
【請求項４】
前記ＵＥが指定スモールセルでランダムアクセスプロセスを開始するように通知し、および／または前記専用ランダムアクセスプリアンブルコードに対応する専用ランダムアクセスプリアンブルパラメータを通知することは、
前記マスターコントロールセルが属している基地局は、物理下りリンク制御チャネルシグナル（ＰＤＣＣＨ  ｏｒｄｅｒ）、媒体アクセス制御（ＭＡＣ）シグナル、または無線リソース制御（ＲＲＣ）シグナルを介してＵＥが前記指定スモールセルでランダムアクセスプロセスを開始するように通知し、および／または前記専用ランダムアクセスプリアンブルコードに対応する専用ランダムアクセスプリアンブルパラメータを通知することである
ことを特徴とする請求項３に記載の方法。
【請求項５】
前記マスターコントロールセルが属している基地局は、ＵＥが前記指定スモールセルでランダムアクセスプロセスを開始するように通知しまたは前記専用ランダムアクセスプリアンブルコードに対応する専用ランダムアクセスプリアンブルパラメータをＵＥへ通知する前に、前記方法は、さらに、
前記マスターコントロールセルが属している基地局は、前記マスターコントロールセルが属している基地局および前記指定スモールセルが属している基地局それぞれの専用ランダムアクセスプリアンブルリソースが含まれた協議結果をＵＥへ送信することを含む
ことを特徴とする請求項３に記載の方法。
【請求項６】
前記方法は、さらに、
前記マスターコントロールセルが属している基地局は、前記指定スモールセルが属している基地局へＵＥが前記指定スモールセルでランダムアクセスプロセスを開始するように通知し、および、対応する専用ランダムアクセスプリアンブルパラメータを通知することとを含む
ことを特徴とする請求項３に記載の方法。
【請求項７】
前記専用ランダムアクセスプリアンブルパラメータは専用ランダムアクセスプリアンブルインデックスである
ことを特徴とする請求項３に記載の方法。
【請求項８】
デュアルコネクティビティにおいてスモールセルでランダムアクセスを行う方法であって、
デュアルコネクティビティにおいてマスターコントロールセルが属している基地局は、ＵＥが指定スモールセルでランダムアクセスプロセスを開始するように通知し、および／または前記専用ランダムアクセスプリアンブルコードに対応する専用ランダムアクセスプリアンブルパラメータを通知することと、
前記ＵＥが通知を受信した後に、前記指定スモールセルで前記指定スモールセルが属している基地局へ前記指定スモールセルに対応する専用ランダムアクセスプリアンブルコードを送信することと、
前記ＵＥが前記マスターコントロールセルが属している基地局または前記指定スモールセルが属している基地局から送信されたランダムアクセス応答メッセージを受信することとを含む、方法。
【請求項９】
前記ＵＥが前記指定スモールセルでランダムアクセスプロセスを開始すること、および／または前記専用ランダムアクセスプリアンブルコードに対応する専用ランダムアクセスプリアンブルパラメータを通知することは、
前記マスターコントロールセルが属している基地局はＰＤＣＣＨ  ｏｒｄｅｒ、ＭＡＣシグナル、またはＲＲＣシグナルを介してＵＥが前記指定スモールセルでランダムアクセスプロセスを開始するように通知し、および／または前記専用ランダムアクセスプリアンブルコードに対応する専用ランダムアクセスプリアンブルパラメータを通知することである
ことを特徴とする請求項８に記載の方法。
【請求項１０】
前記マスターコントロールセルが属している基地局はＵＥが指定スモールセルでランダムアクセスプロセスを開始するように通知し、または、前記専用ランダムアクセスプリアンブルコードに対応する専用ランダムアクセスプリアンブルパラメータをＵＥへ通知する前に、前記方法は、さらに、
前記マスターコントロールセルが属している基地局および前記指定スモールセルが属している基地局がそれぞれの専用ランダムアクセスプリアンブルパラメータをネゴシエーションして協議結果をＵＥへ送信することを含み、
前記ＵＥが指定スモールセルで前記指定スモールセルが属している基地局へ前記指定スモールセルに対応する専用ランダムアクセスプリアンブルコードを送信する前に、前記方法は、さらに、
ＵＥは前記協議結果および通知された前記指定スモールセルに基づいて前記指定スモールセルに対応する専用ランダムアクセスプリアンブルコードを確定すること、または、
ＵＥは前記協議結果および通知された専用ランダムアクセスプリアンブルコードに対応する専用ランダムアクセスプリアンブルパラメータに基づいて前記指定スモールセルを確定することを含み、
前記協議結果には、前記マスターコントロールセルが属している基地局及び前記指定スモールセルが属している基地局それぞれの専用ランダムアクセスプリアンブルリソースが含まれる
ことを特徴とする請求項８に記載の方法。
【請求項１１】
前記専用ランダムアクセスプリアンブルパラメータは専用ランダムアクセスプリアンブルインデックスである
ことを特徴とする請求項８に記載の方法。
【請求項１２】
前記ＵＥが前記指定スモールセルで前記指定スモールセルが属している基地局へ前記指定スモールセルに対応する専用ランダムアクセスプリアンブルコードを送信する前に、前記方法は、さらに、
前記マスターコントロールセルが属している基地局は前記指定スモールセルが属している基地局へＵＥが前記指定スモールセルでランダムアクセスプロセスを開始するように通知し、および、対応する専用ランダムアクセスプリアンブルパラメータを通知することを含む
ことを特徴とする請求項８に記載の方法。
【請求項１３】
前記ＵＥが前記マスターコントロールセルが属している基地局または前記指定スモールセルが属している基地局から送信されたランダムアクセス応答メッセージを受信する前に、前記方法は、さらに、
前記指定スモールセルが属している基地局は、前記専用ランダムアクセスプリアンブルコードを受信した後に、タイミングアドバンス（ＴＡ）値を計算し、計算が完了した後に前記マスターコントロールセルが属している基地局へ通知し、前記マスターコントロールセルが属している基地局は通知を受信した後にＵＥへランダムアクセス応答メッセージを送信すること、または、
前記指定スモールセルが属している基地局は、前記専用ランダムアクセスプリアンブルコードを受信した後にＴＡ値を計算し、計算が完了した後にＵＥへランダムアクセス応答メッセージを送信することを含む
ことを特徴とする請求項８に記載の方法。
【請求項１４】
デュアルコネクティビティにおいてスモールセルでランダムアクセスを行う方法であって、
ＵＥは指定スモールセルで前記指定スモールセルが属している基地局へ自分により選ばれた専用ランダムアクセスプリアンブルコードを送信することと、
ＵＥはデュアルコネクティビティにおいてマスターコントロールセルが属している基地局から送信されたランダムアクセス応答メッセージを受信した後に、前記マスターコントロールセルが属している基地局を通じてスケジューリングされた伝送メッセージを前記指定スモールセルが属している基地局へ送信することと、
前記指定スモールセルが属している基地局は、前記マスターコントロールセルが属している基地局を通じて衝突解決メッセージをＵＥへ返答することとを含む、方法。
【請求項１５】
前記ＵＥが指定スモールセルで前記指定スモールセルが属している基地局へ自分により選ばれた専用ランダムアクセスプリアンブルコードを送信する前に、前記方法は、さらに、
前記マスターコントロールセルが属している基地局はＵＥが前記指定スモールセルでランダムアクセスプロセスを開始するように通知することを含む
ことを特徴とする請求項１４に記載の方法。
【請求項１６】
前記マスターコントロールセルが属している基地局はＵＥが前記指定スモールセルでランダムアクセスプロセスを開始するように通知することは
前記マスターコントロールセルが属している基地局は、ＰＤＣＣＨ  ｏｒｄｅｒ、ＭＡＣシグナルまたはＲＲＣシグナルを介して、ＵＥが前記指定スモールセルでランダムアクセスプロセスを開始するように通知する
ことを特徴とする請求項１５に記載の方法。
【請求項１７】
前記マスターコントロールセルが属している基地局を通じてスケジューリングされた伝送メッセージを前記指定スモールセルが属している基地局へ送信することは、
前記マスターコントロールセルが属している基地局は受信されたスケジューリングされた伝送メッセージにおける前記指定スモールセルのアイデンティティーに基づいてスケジューリングされた伝送メッセージを前記指定スモールセルが属している基地局へ伝送することである
ことを特徴とする請求項１４に記載の方法。
【請求項１８】
前記指定スモールセルが属している基地局が前記マスターコントロールセルが属している基地局を通じて衝突解決メッセージをＵＥへ返答することは、
前記指定スモールセルが属している基地局は、衝突解決メッセージを生成した後に、前記マスターコントロールセルが属している基地局へ衝突解決メッセージを送信し、前記マスターコントロールセルが属している基地局は受信された衝突解決メッセージにおける前記指定スモールセルのアイデンティティーとＵＥのアイデンティティーに基づいて衝突解決メッセージをＵＥへ伝送することである
ことを特徴とする請求項１４に記載の方法。
【請求項１９】
ＵＥであって、
指定スモールセルで前記指定スモールセルに対応する専用ランダムアクセスプリアンブルコードを前記指定スモールセルが属している基地局へ送信するように構成される送信モジュールと、
前記マスターコントロールセルが属している基地局または前記指定スモールセルが属している基地局から送信されたランダムアクセス応答メッセージを受信するように構成される受信モジュールとを含む、ＵＥ。
【請求項２０】
前記ＵＥには、さらに確定モジュールが含まれ、
前記確定モジュールは、デュアルコネクティビティにおいてマスターコントロールセルが属している基地局と前記指定スモールセルが属している基地局との協議結果及び通知された前記指定スモールセルに基づいて、前記指定スモールセルに対応する専用ランダムアクセスプリアンブルコードを確定し、または、デュアルコネクティビティにおいてマスターコントロールセルが属している基地局と前記指定スモールセルが属している基地局との協議結果及び通知された前記専用ランダムアクセスプリアンブルコードに対応する専用ランダムアクセスプリアンブルパラメータに基づいて、前記指定スモールセルを確定するように構成され、
前記協議結果には、前記マスターコントロールセルが属している基地局及び前記指定スモールセルが属している基地局それぞれの専用ランダムアクセスプリアンブルリソースが含まれる
ことを特徴とする請求項１９に記載のＵＥ。
【請求項２１】
基地局であって、
記憶モジュールと、
ＵＥが指定スモールセルでランダムアクセスプロセスを開始するように通知し、および／または前記指定スモールセルの専用ランダムアクセスプリアンブルコードに対応する専用ランダムアクセスプリアンブルパラメータを通知するように構成される通知モジュールとが含まれる、基地局。
【請求項２２】
前記通知モジュールは、さらに
前記マスターコントロールセルが属している基地局および前記指定スモールセルが属している基地局それぞれの専用ランダムアクセスプリアンブルリソースが含まれた協議結果をＵＥへ送信するように構成される
ことを特徴とする請求項２１に記載の基地局。
【請求項２３】
前記通知モジュールは、さらに
前記指定スモールセルが属している基地局へＵＥが前記指定スモールセルでランダムアクセスプロセスを開始するように通知し、対応する専用ランダムアクセスプリアンブルパラメータを通知するように構成される
ことを特徴とする請求項２１に記載の基地局。
【請求項２４】
デュアルコネクティビティにおいてスモールセルでランダムアクセスを行うシステムであって、
前記システムには、第一基地局、第一ＵＥおよび第二基地局が含まれ、ここで、
前記第一基地局は、デュアルコネクティビティにおいてマスターコントロールセルが属している基地局であり、第一ＵＥが指定スモールセルでランダムアクセスプロセスを開始するように通知し、および／または前記専用ランダムアクセスプリアンブルコードに対応する専用ランダムアクセスプリアンブルパラメータを通知するように構成され、
前記第一ＵＥは、前記第一基地局の通知を受信した後に、前記指定スモールセルで前記指定スモールセルが属している前記第二基地局へ前記指定スモールセルに対応する専用ランダムアクセスプリアンブルコードを送信し、かつ、前記第一基地局または前記第二基地局から送信されたランダムアクセス応答メッセージを受信するように構成される、システム。
【請求項２５】
前記第一基地局は、前記第一ＵＥが指定スモールセルでランダムアクセスプロセスを開始するように通知し、または、前記専用ランダムアクセスプリアンブルコードに対応する専用ランダムアクセスプリアンブルパラメータを前記第一ＵＥへ通知する時に、前記第一基地局は、前記第二基地局と協議してそれぞれの専用ランダムアクセスプリアンブルパラメータを取得して、協議結果を第一ＵＥへ送信するように構成され、
前記第一ＵＥは、さらに、指定スモールセルで前記指定スモールセルが属している基地局へ前記指定スモールセルに対応する専用ランダムアクセスプリアンブルコードを送信する前に、前記協議結果および通知された前記指定スモールセルに基づいて前記指定スモールセルに対応する専用ランダムアクセスプリアンブルコードを確定し、または、前記協議結果および通知された専用ランダムアクセスプリアンブルコードに対応する専用ランダムアクセスプリアンブルパラメータに基づいて前記指定スモールセルを確定するように構成される
ことを特徴とする請求項２４に記載のシステム。
【請求項２６】
前記第一基地局は、さらに、前記第一ＵＥが前記スモールセルでランダムアクセスプロセスを開始することおよび対応する専用ランダムアクセスプリアンブルパラメータを前記第二基地局へ通知するように構成される
ことを特徴とする請求項２４に記載のシステム。
【請求項２７】
前記第二基地局は、前記専用ランダムアクセスプリアンブルコードを受信した後にＴＡ値を計算し、計算が完了した後に第一基地局へ通知するように構成され、
前記第一基地局は、さらに、前記第二基地局の通知を受信した後に第一ＵＥへランダムアクセス応答メッセージを送信するように構成され、または、
前記第二基地局は、さらに、前記専用ランダムアクセスプリアンブルコードを受信した後に、ＴＡ値を計算し、計算が完了した後に第一ＵＥへランダムアクセス応答メッセージを送信するように構成される
ことを特徴とする請求項２４に記載のシステム。
【請求項２８】
デュアルコネクティビティにおいてスモールセルでランダムアクセスを行うシステムであって、
前記システムには、第三基地局、第二ＵＥ、第四基地局が含まれ、ここで、
前記第二ＵＥは、指定スモールセルで前記指定スモールセルが属している前記第四基地局へ自分により選ばれた専用ランダムアクセスプリアンブルコードを送信し、かつ、デュアルコネクティビティにおいてマスターコントロールセルが属している前記第三基地局から送信されたランダムアクセス応答メッセージを受信した後に、前記第三基地局を通じてスケジューリングされた伝送メッセージを前記第四基地局へ送信し、かつ前記第四基地局から返送された衝突解決メッセージを受信するように構成され、
第四基地局は、前記第三基地局を通じて衝突解決メッセージを前記第二ＵＥへ返答するように構成される、システム。
【請求項２９】
前記第三基地局は、前記第二ＵＥが前記指定スモールセルでランダムアクセスプロセスを開始するように通知するように構成され、
前記第二ＵＥは、前記第三基地局から送信された通知を受信した後に、前記指定スモールセルで自分により選ばれた専用ランダムアクセスプリアンブルコードを前記第四基地局へ送信するように構成される
ことを特徴とする請求項２８に記載のシステム。
【請求項３０】
コンピューター記憶媒体であって、1グループのコマンドを含み、
前記コマンドが実行される場合、少なくとも１つのプロセッサが請求項１〜２のいずれか一項または請求項３〜７のいずれか一項または請求項８〜１３のいずれか一項または請求項１４〜１８のいずれか一項に記載のデュアルコネクティビティにおいてスモールセルでランダムアクセスを行う方法を実行するようにする、コンピューター記憶媒体。
【発明の詳細な説明】
【技術分野】
【０００１】
本発明は、通信分野に関し、特にデュアルコネクティビティにおいてスモールセルでランダムアクセスを行う方法及びシステムに関する。
【背景技術】
【０００２】
ロングタームエボリューション（ＬＴＥ：Ｌｏｎｇ  Ｔｅｒｍ  Ｅｖｏｌｕｔｉｏｎ）システムにおいて、接続状態にあるユーザーデバイス（ＵＥ：Ｕｓｅｒ  Ｅｑｕｉｐｍｅｎｔ）は基地局へデータを送信する前に、基地局との上り同期および下り同期を取得する必要がある。ここで、上り同期はランダムアクセスプロセスを実行することで実現され（送信タイミングアドバンス（ＴＡ：Ｔｉｍｅ  Ａｄｖａｎｃｅ）を同時に取得する）、下り同期はＵＥによりあるセルを測定することで実現される。ここで、ＴＡは主にＵＥにデータ送信タイミングを確定させることに用いられる。
【０００３】
ＵＥは、上り同期を取得した後に上りタイミングアドバンスタイマー（ＴＡＴ：Ｔｉｍｅ  Ａｌｉｇｎｍｅｎｔ  Ｔｉｍｅｒ）を開始して、ＴＡＴがオーバータイムする前に基地局から送信されたＴＡを受信すれば、自分と基地局の間に上り同期が保持されたと認め、受信しなかった場合に、上り同期が失われたと認める。上り同期が失われた後にＵＥが基地局へデータを送信する必要がある場合に、上り同期を再び取得する必要がある。ＬＴＥシステムには、セルは１つだけの搬送波があるため、１つだけのＴＡがある。
【０００４】
図１はＬＴＥシステムにおいてランダムアクセスのフローチャートである。図１に示すように、ランダムアクセスプロセスは、基地局により物理下りリンク制御チャネルシグナル（ＰＤＣＣＨ  ｏｒｄｅｒ：Ｐｈｙｓｉｃａｌ  Ｄｏｗｎｌｉｎｋ  Ｃｏｎｔｒｏｌ  Ｃｈａｎｎｅｌ  ｏｒｄｅｒ）、または、媒体アクセス制御（ＭＡＣ：Ｍｅｄｉｕｍ  Ａｃｃｅｓｓ  Ｃｏｎｔｒｏｌ）シグナルを送信することで開始されることができ、図１におけるステップ０を参照する。ＰＤＣＣＨシグナル（ＰＤＣＣＨ  ｏｒｄｅｒ）または無線リソース制御（ＲＲＣ：Ｒａｄｉｏ  Ｒｅｓｏｕｒｃｅ  Ｃｏｎｔｒｏｌ）シグナルを用いて専用ランダムアクセスプリアンブル（Ｒａｎｄｏｍ  Ａｃｃｅｓｓ  Ｐｒｅａｍｂｌｅ）コードをＵＥへ割り当てることができる時に、ランダムアクセスは非衝突型ランダムアクセスと呼ばれ、この場合に、専用ランダムアクセスプリアンブルコードを基地局により割り当てるしかなく、ＰＤＣＣＨ  ｏｒｄｅｒまたはハンドオーバコマンドを通じてＵＥに専用ランダムアクセスプリアンブルコードを構成することができ、ＵＥがランダムアクセスプリアンブルコードを選択する必要がある場合に、ランダムアクセスは衝突型ランダムアクセスであり、この場合に、ステップ０を実行しなくステップ１を直接に実行する。
【０００５】
ＵＥにより選択されたランダムアクセスリソースには、ランダムアクセスプリアンブルコードおよび物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）の時間周波数領域リソースなどが含まれる。非衝突型ランダムアクセスについて、衝突を解決するプロセスはないが、ネットワーク側を通じて専用ランダムアクセスプリアンブルコードをＵＥへ割り当てることで実現される。そのために、処理プロセスには、図１に示すように、ステップ０〜１の２つのステップが含まれる。図１に示すように、衝突型ランダムアクセスプロセスにはステップ１〜４の４つのステップが含まれ、ここで、ステップ３とステップ４の機能は衝突を解決することに用いられる。
【０００６】
キャリアアグリゲーション技術（ＣＡ：Ｃａｒｒｉｅｒ  Ａｇｇｒｅｇａｔｉｏｎ）が引き入れられた後に、接続状態にあるＵＥは複数のコンポーネント搬送波（ＣＣ：Ｃｏｍｐｏｎｅｎｔ  Ｃａｒｒｉｅｒｓ）を通じてソース基地局と同時に通信でき、ＣＡ技術が引き入れられた後に、さらにプライマリーセル（Ｐｃｅｌｌ：Ｐｒｉｍａｒｙ  Ｃｅｌｌ）及びセカンダリセル（Ｓｃｅｌｌ：Ｓｅｃｏｎｄａｒｙ  Ｃｅｌｌ）が引き入れられて、各セルに１つのセルアイデンティティーが同時に構成され、また、Ｓｃｅｌｌに対して単独のセカンダリセルアイデンティティーがあり、Ｓｃｅｌｌセカンダリセルのセカンダリセルアイデンティティーは対応するＰｃｅｌｌのセカンダリサービスセルアイデンティティーと同一である。データ量が増えるため、Ｓｃｅｌｌの個数は増え、例えば、４つに増えて、適用条件も緩和する。例えば、上りについて、リモートラジオヘッド（ＲＲＨ：Ｒｅｍｏｔｅ  Ｒａｄｉｏ  Ｈｅａｄ）とリピーター（ｒｅｐｅａｔｅｒ）技術をサポートできる。１つのＴＡが問題を解決できない場合に、複数のＴＡを引き入れて問題を解決する。管理の便利のために、同じなＴＡを使用するサービスセルが１つのＴＡグループに編入されるが、Ｐｃｅｌｌを含むＴＡグループがＰＴＡＧと呼ばれ、Ｐｃｅｌｌを含んでいないＴＡグループがＳＴＡＧと呼ばれる。ＵＥがＰＴＡＧにおけるＰｃｅｌｌでランダムアクセスを実行するタイミングは、１つだけのＴＡがあるときにランダムアクセスを実行するタイミングと同じようにし、ＳＴＡＧでランダムアクセスを実行するタイミングは１つだけがあり、ネットワーク側通知であり、即ち、衝突型ランダムアクセスプロセスのみがある。
【０００７】
現在、周波数スペクトルリソースの不足と移動ユーザーの大流量業務の激増が原因で、高周波数点、例えば３．５ＧＨｚを用いてホットスポットカバレッジを行う需要はますます明らかになり、低パワーノードを使用するシーンは新しい適用シーンとなり、その目的はユーザースループットを向上させ、移動性能を強めることである。しかしながら、高周波数点の信号減衰が激しく、スモールセルのカバレッジ範囲が小さい、かつ既存のセルとサイトを共有していないため、多数の会社と事業者はいずれも新しい強化案を探す傾向があり、デュアルコネクティビティ技術（Ｄｕａｌ  Ｃｏｎｎｅｃｔｉｖｉｔｙ）はそのなかの１つの技術案だった。デュアルコネクティビティにおいて、ＵＥは２つ以上の基地局とデータ接続を同時に保持でき、しかしながら、制御面接続がその中の１つの基地局が属しているセル例えばマクロセルに接続しかない。
【０００８】
現在、デュアルコネクティビティにおいてＵＥがスモールセルでランダムアクセスを行う技術案を提案していない実情である。
【発明の概要】
【発明が解決しようとする課題】
【０００９】
本開示の実施例は、従来の技術問題を解決するために、デュアルコネクティビティにおいてスモールセルでランダムアクセスを行う方法及びシステムを提供する。
【課題を解決するための手段】
【００１０】
前記目的を達成するために、本発明実施例の技術案は下記のように実現される。
【００１１】
本開示の実施例はデュアルコネクティビティにおいてスモールセルでランダムアクセスを行う方法を提供し、前記方法には、
ユーザーデバイス（ＵＥ）は、指定スモールセルで前記指定スモールセルに対応する専用ランダムアクセスプリアンブルコードを前記指定スモールセルが属している基地局へ送信することと、
前記ＵＥはデュアルコネクティビティにおいてマスターコントロールセルが属している基地局または前記指定スモールセルが属している基地局から送信されたランダムアクセス応答メッセージを受信することとを含む。
【００１２】
上記技術案において、
前記ＵＥが指定スモールセルで前記指定スモールセルに対応する専用ランダムアクセスプリアンブルコードを前記指定スモールセルが属している基地局へ送信する前に、前記方法は、さらに、
前記ＵＥはデュアルコネクティビティにおいてマスターコントロールセルが属している基地局と前記指定スモールセルが属している基地局との協議結果及び通知された前記指定スモールセルに基づいて前記指定スモールセルに対応する専用ランダムアクセスプリアンブルコードを確定すること、または、
前記ＵＥはデュアルコネクティビティにおいてマスターコントロールセルが属している基地局と前記指定スモールセルが属している基地局との協議結果及び通知された前記専用ランダムアクセスプリアンブルコードに対応する専用ランダムアクセスプリアンブルパラメータに基づいて前記指定スモールセルを確定することとを含み、
前記協議結果には前記マスターコントロールセルが属している基地局及び前記指定スモールセルが属している基地局それぞれの専用ランダムアクセスプリアンブルリソースが含まれる。
【００１３】
本発明実施例は、さらに、デュアルコネクティビティにおいてスモールセルでランダムアクセスを行う方法を提供し、前記方法は、
デュアルコネクティビティにおいてマスターコントロールセルが属している基地局はＵＥが指定スモールセルでランダムアクセスプロセスを開始するように通知し、および／または前記指定スモールセルの専用ランダムアクセスプリアンブルコードに対応する専用ランダムアクセスプリアンブルパラメータを通知することを含む。
【００１４】
上記技術案において、
前記ＵＥが指定スモールセルでランダムアクセスプロセスを開始するように通知し、および／または前記専用ランダムアクセスプリアンブルコードに対応する専用ランダムアクセスプリアンブルパラメータを通知することは、
前記マスターコントロールセルが属している基地局は物理下りリンク制御チャネルシグナル（ＰＤＣＣＨ  ｏｒｄｅｒ）、媒体アクセス制御（ＭＡＣ）シグナル、または無線リソース制御（ＲＲＣ）シグナルを介してＵＥが前記指定スモールセルでランダムアクセスプロセスを開始するように通知し、および／または前記専用ランダムアクセスプリアンブルコードに対応する専用ランダムアクセスプリアンブルパラメータを通知することである。
【００１５】
上記技術案において、
前記マスターコントロールセルが属している基地局はＵＥが前記指定スモールセルでランダムアクセスプロセスを開始するように通知しまたは前記専用ランダムアクセスプリアンブルコードに対応する専用ランダムアクセスプリアンブルパラメータをＵＥへ通知する前に、前記方法は、さらに、
前記マスターコントロールセルが属している基地局は、前記マスターコントロールセルが属している基地局および前記指定スモールセルが属している基地局それぞれの専用ランダムアクセスプリアンブルリソースが含まれた協議結果をＵＥへ送信することを含む。
【００１６】
上記技術案において、
前記方法は、さらに、
前記マスターコントロールセルが属している基地局は、前記指定スモールセルが属している基地局へＵＥが前記指定スモールセルでランダムアクセスプロセスを開始するように通知し、および、対応する専用ランダムアクセスプリアンブルパラメータを通知することとを含む。
【００１７】
上記技術案において、
前記専用ランダムアクセスプリアンブルパラメータは前記専用ランダムアクセスプリアンブルインデックスである。
【００１８】
本発明実施例は、さらに、デュアルコネクティビティにおいてスモールセルでランダムアクセスを行う方法を提供し、前記方法は、
デュアルコネクティビティにおいてマスターコントロールセルが属している基地局はＵＥが指定スモールセルでランダムアクセスプロセスを開始するように通知し、および／または前記専用ランダムアクセスプリアンブルコードに対応する専用ランダムアクセスプリアンブルパラメータを通知することと、
前記ＵＥが通知を受信した後に、前記指定スモールセルで前記指定スモールセルが属している基地局へ前記指定スモールセルに対応する専用ランダムアクセスプリアンブルコードを送信することと、
前記ＵＥが前記マスターコントロールセルが属している基地局または前記指定スモールセルが属している基地局から送信されたランダムアクセス応答メッセージを受信することとを含む。
【００１９】
上記技術案において、
前記ＵＥが前記指定スモールセルでランダムアクセスプロセスを開始すること、および／または前記専用ランダムアクセスプリアンブルコードに対応する専用ランダムアクセスプリアンブルパラメータを通知することは、
前記マスターコントロールセルが属している基地局はＰＤＣＣＨ  ｏｒｄｅｒ、ＭＡＣシグナル、またはＲＲＣシグナルを介してＵＥが前記指定スモールセルでランダムアクセスプロセスを開始するように通知し、および／または前記専用ランダムアクセスプリアンブルコードに対応する専用ランダムアクセスプリアンブルパラメータを通知することである。
【００２０】
上記技術案において、
前記マスターコントロールセルが属している基地局はＵＥが指定スモールセルでランダムアクセスプロセスを開始するように通知し、または、前記専用ランダムアクセスプリアンブルコードに対応する専用ランダムアクセスプリアンブルパラメータをＵＥへ通知する前に、前記方法は、さらに、
前記マスターコントロールセルが属している基地局および前記指定スモールセルが属している基地局がそれぞれの専用ランダムアクセスプリアンブルパラメータをネゴシエーションして協議結果をＵＥへ送信することを含み、
前記ＵＥが指定スモールセルで前記指定スモールセルが属している基地局へ前記指定スモールセルに対応する専用ランダムアクセスプリアンブルコードを送信する前に、前記方法は、さらに、
ＵＥは前記協議結果および通知された前記指定スモールセルに基づいて前記指定スモールセルに対応する専用ランダムアクセスプリアンブルコードを確定すること、または、
ＵＥは前記協議結果および通知された専用ランダムアクセスプリアンブルコードに対応する専用ランダムアクセスプリアンブルパラメータに基づいて前記指定スモールセルを確定することを含み、
前記協議結果には、前記マスターコントロールセルが属している基地局及び前記指定スモールセルが属している基地局それぞれの専用ランダムアクセスプリアンブルリソースが含まれる。
【００２１】
上記技術案において、
前記専用ランダムアクセスプリアンブルパラメータは前記専用ランダムアクセスプリアンブルインデックスである。
【００２２】
上記技術案において、
前記ＵＥが前記指定スモールセルで前記指定スモールセルが属している基地局へ前記指定スモールセルに対応する専用ランダムアクセスプリアンブルコードを送信する前に、前記方法は、さらに、
前記マスターコントロールセルが属している基地局は前記指定スモールセルが属している基地局へＵＥが前記指定スモールセルでランダムアクセスプロセスを開始するように通知し、および、対応する専用ランダムアクセスプリアンブルパラメータを通知することを含む。
【００２３】
上記技術案において、
前記ＵＥが前記マスターコントロールセルが属している基地局または前記指定スモールセルが属している基地局から送信されたランダムアクセス応答メッセージを受信する前に、前記方法は、さらに、
前記指定スモールセルが属している基地局は、前記専用ランダムアクセスプリアンブルコードを受信した後に、タイミングアドバンス（ＴＡ）値を計算し、計算が完了した後に前記マスターコントロールセルが属している基地局へ通知し、前記マスターコントロールセルが属している基地局は通知を受信した後にＵＥへランダムアクセス応答メッセージを送信すること、または、
前記指定スモールセルが属している基地局は前記専用ランダムアクセスプリアンブルコードを受信した後にＴＡ値を計算し、計算が完了した後にＵＥへランダムアクセス応答メッセージを送信することを含む。
【００２４】
本発明実施例は、さらに、デュアルコネクティビティにおいてスモールセルでランダムアクセスを行う方法を提供し、前記方法は、
ＵＥは指定スモールセルで前記指定スモールセルが属している基地局へ自分により選ばれた専用ランダムアクセスプリアンブルコードを送信することと、
ＵＥはデュアルコネクティビティにおいてマスターコントロールセルが属している基地局から送信されたランダムアクセス応答メッセージを受信した後に、前記マスターコントロールセルが属している基地局を通じてスケジューリングされた伝送メッセージを前記指定スモールセルが属している基地局へ送信することと、
前記指定スモールセルが属している基地局は前記マスターコントロールセルが属している基地局を通じて衝突解決メッセージをＵＥへ返答することとを含む。
【００２５】
上記技術案において、
前記ＵＥが指定スモールセルで前記指定スモールセルが属している基地局へ自分により選ばれた専用ランダムアクセスプリアンブルコードを送信する前に、前記方法は、さらに、
前記マスターコントロールセルが属している基地局はＵＥが前記指定スモールセルでランダムアクセスプロセスを開始するように通知することを含む。
【００２６】
上記技術案において、
前記マスターコントロールセルが属している基地局はＵＥが前記指定スモールセルでランダムアクセスプロセスを開始するように通知することは
前記マスターコントロールセルが属している基地局はＰＤＣＣＨ  ｏｒｄｅｒ、ＭＡＣシグナルまたはＲＲＣシグナルを介して、ＵＥが前記指定スモールセルでランダムアクセスプロセスを開始するように通知する。
【００２７】
上記技術案において、
前記マスターコントロールセルが属している基地局を通じてスケジューリングされた伝送メッセージを前記指定スモールセルが属している基地局へ送信することは、
前記マスターコントロールセルが属している基地局は受信されたスケジューリングされた伝送メッセージにおける前記指定スモールセルのアイデンティティーに基づいてスケジューリングされた伝送メッセージを前記指定スモールセルが属している基地局へ伝送することである。
【００２８】
上記技術案において、
前記指定スモールセルが属している基地局は前記マスターコントロールセルが属している基地局を通じて衝突解決メッセージをＵＥへ返答することは、
前記指定スモールセルが属している基地局は衝突解決メッセージを生成した後に、前記マスターコントロールセルが属している基地局へ衝突解決メッセージを送信し、前記マスターコントロールセルが属している基地局は受信された衝突解決メッセージにおける前記指定スモールセルのアイデンティティーとＵＥのアイデンティティーに基づいて衝突解決メッセージをＵＥへ伝送することである。
【００２９】
本発明実施例は、さらに、一種のＵＥを提供し、前記ＵＥは、
指定スモールセルで前記指定スモールセルに対応する専用ランダムアクセスプリアンブルコードを前記指定スモールセルが属している基地局へ送信するように構成される送信モジュールと、
前記マスターコントロールセルが属している基地局または前記指定スモールセルが属している基地局から送信されたランダムアクセス応答メッセージを受信するように構成される受信モジュールとを含む。
【００３０】
上記技術案において、
前記ＵＥには、さらに確定モジュールが含まれ、
前記確定モジュールは、デュアルコネクティビティにおいてマスターコントロールセルが属している基地局と前記指定スモールセルが属している基地局との協議結果及び通知された前記指定スモールセルに基づいて前記指定スモールセルに対応する専用ランダムアクセスプリアンブルコードを確定し、または、デュアルコネクティビティにおいてマスターコントロールセルが属している基地局と前記指定スモールセルが属している基地局との協議結果及び通知された前記専用ランダムアクセスプリアンブルコードに対応する専用ランダムアクセスプリアンブルパラメータに基づいて前記指定スモールセルを確定するように構成され、
前記協議結果には、前記マスターコントロールセルが属している基地局及び前記指定スモールセルが属している基地局それぞれの専用ランダムアクセスプリアンブルリソースが含まれる。
【００３１】
本発明実施例は、さらに、一種の基地局を提供し、前記基地局には、
記憶モジュールと、
ＵＥが指定スモールセルでランダムアクセスプロセスを開始するように通知し、および／または前記指定スモールセルの専用ランダムアクセスプリアンブルコードに対応する専用ランダムアクセスプリアンブルパラメータを通知するように構成される通知モジュールとが含まれる。
【００３２】
上記技術案において、
前記通知モジュールは、さらに
前記マスターコントロールセルが属している基地局および前記指定スモールセルが属している基地局それぞれの専用ランダムアクセスプリアンブルリソースが含まれた協議結果をＵＥへ送信するように構成される。
【００３３】
上記技術案において、
前記通知モジュールは、さらに
前記指定スモールセルが属している基地局へＵＥが前記指定スモールセルでランダムアクセスプロセスを開始するように通知し、対応する専用ランダムアクセスプリアンブルパラメータを通知するように構成される。
【００３４】
また、本発明実施例は、デュアルコネクティビティにおいてスモールセルでランダムアクセスを行うシステムを提供し、前記システムには、第一基地局、第一ＵＥおよび第二基地局が含まれ、ここで、
前記第一基地局は、デュアルコネクティビティにおいてマスターコントロールセルが属している基地局であり、第一ＵＥが指定スモールセルでランダムアクセスプロセスを開始するように通知し、および／または前記専用ランダムアクセスプリアンブルコードに対応する専用ランダムアクセスプリアンブルパラメータを通知するように構成され、
前記第一ＵＥは、前記第一基地局の通知を受信した後に、前記指定スモールセルで前記指定スモールセルが属している前記第二基地局へ前記指定スモールセルに対応する専用ランダムアクセスプリアンブルコードを送信し、かつ、前記第一基地局または前記第二基地局から送信されたランダムアクセス応答メッセージを受信するように構成される。
【００３５】
上記技術案において、
前記第一基地局は、前記第一ＵＥが指定スモールセルでランダムアクセスプロセスを開始するように通知し、または、前記専用ランダムアクセスプリアンブルコードに対応する専用ランダムアクセスプリアンブルパラメータを前記第一ＵＥへ通知する時に、前記第一基地局は、前記第二基地局と協議してそれぞれの専用ランダムアクセスプリアンブルパラメータを取得して、協議結果を第一ＵＥへ送信するように構成され、
前記第一ＵＥは、さらに、指定スモールセルで前記指定スモールセルが属している基地局へ前記指定スモールセルに対応する専用ランダムアクセスプリアンブルコードを送信する前に、前記協議結果および通知された前記指定スモールセルに基づいて前記指定スモールセルに対応する専用ランダムアクセスプリアンブルコードを確定し、または、前記協議結果および通知された専用ランダムアクセスプリアンブルコードに対応する専用ランダムアクセスプリアンブルパラメータに基づいて前記指定スモールセルを確定するように構成される。
【００３６】
上記技術案において、
前記第一基地局は、さらに、前記第一ＵＥが前記スモールセルでランダムアクセスプロセスを開始することおよび対応する専用ランダムアクセスプリアンブルパラメータを前記第二基地局へ通知するように構成される。
【００３７】
上記技術案において、
前記第二基地局は、前記専用ランダムアクセスプリアンブルコードを受信した後にＴＡ値を計算し、計算が完了した後に第一基地局へ通知するように構成され、
前記第一基地局は、さらに、前記第二基地局の通知を受信した後に第一ＵＥへランダムアクセス応答メッセージを送信するように構成され、または、
前記第二基地局は、さらに、前記専用ランダムアクセスプリアンブルコードを受信した後に、ＴＡ値を計算し、計算が完了した後に第一ＵＥへランダムアクセス応答メッセージを送信するように構成される。
【００３８】
本発明実施例は、デュアルコネクティビティにおいてスモールセルでランダムアクセスを行うシステムを提供し、前記システムには、第三基地局、第二ＵＥ、第四基地局が含まれ、ここで、
前記第二ＵＥは、指定スモールセルで前記指定スモールセルが属している前記第四基地局へ自分により選ばれた専用ランダムアクセスプリアンブルコードを送信し、かつ、デュアルコネクティビティにおいてマスターコントロールセルが属している前記第三基地局から送信されたランダムアクセス応答メッセージを受信した後に、前記第三基地局を通じてスケジューリングされた伝送メッセージを前記第四基地局へ送信し、かつ前記第四基地局から返送された衝突解決メッセージを受信するように構成され、
第四基地局は、前記第三基地局を通じて衝突解決メッセージを前記第二ＵＥへ返答するように構成される。
【００３９】
上記技術案において、
前記第三基地局は、前記第二ＵＥが前記指定スモールセルでランダムアクセスプロセスを開始するように通知するように構成され、
前記第二ＵＥは、前記第三基地局から送信された通知を受信した後に、前記指定スモールセルで自分により選ばれた専用ランダムアクセスプリアンブルコードを前記第四基地局へ送信するように構成される。
【００４０】
本発明実施例は、さらに、コンピューター記憶媒体を提供し、前記コンピューター記憶媒体は1グループのコマンドを含み、
前記コマンドが実行される場合、少なくとも１つのプロセッサが上述したデュアルコネクティビティにおいてスモールセルでランダムアクセスを行う方法を実行するようにする。
【００４１】
本発明実施例に係るデュアルコネクティビティにおいてスモールセルでランダムアクセスを行う方法及びシステムによれば、ＵＥは指定スモールセルで前記指定スモールセルが属している基地局へ前記指定スモールセルに対応する専用ランダムアクセスプリアンブルコードを送信し、ＵＥは前記マスターコントロールセルが属している基地局または前記指定スモールセルが属している基地局から送信されたランダムアクセス応答メッセージを受信することでランダムアクセスプロセスを完了し、または、ＵＥは指定スモールセルで前記指定スモールセルが属している基地局へ自分により選ばれた専用ランダムアクセスプリアンブルコードを送信し、ＵＥは前記マスターコントロールセルが属している基地局から送信されたランダムアクセス応答メッセージを受信した後に、前記マスターコントロールセルが属している基地局を通じて前記指定スモールセルが属している基地局へスケジューリングされた伝送メッセージを送信し、前記指定スモールセルが属している基地局は前記マスターコントロールセルが属している基地局を通じてＵＥへ衝突解決メッセージを返答してランダムアクセスプロセスを完了する。このようにして、デュアルコネクティビティにおいてＵＥとスモールセルがランダムアクセスプロセスを順調に完成させ、ＵＥがスモールセルでデータ送受信でき、スモールセルを使用できない状況を避ける。
【図面の簡単な説明】
【００４２】
【図１】従来のＬＴＥシステムにおいてランダムアクセスのフローチャートである。
【図２】本発明実施例１のデュアルコネクティビティにおいてスモールセルでランダムアクセスを行う方法のフローチャートである。
【図３】本発明実施例３のデュアルコネクティビティにおいてスモールセルでランダムアクセスを行う方法のフローチャートである。
【図４】本発明実施例４のデュアルコネクティビティにおいてスモールセルでランダムアクセスを行う方法のフローチャートである。
【図５】本発明実施例５のスモールセルでランダムアクセスを行う方法のフローチャートである。
【図６】本発明実施例６のスモールセルでランダムアクセスを行う方法のフローチャートである。
【図７】本発明実施例７のスモールセルでランダムアクセスを行う方法のフローチャートである。
【図８】本発明実施例８のスモールセルでランダムアクセスを行う方法のフローチャートである。
【図９】本発明実施例９のスモールセルでランダムアクセスを行う方法のフローチャートである。
【図１０】本発明実施例１０のスモールセルでランダムアクセスを行う方法のフローチャートである。
【図１１】本発明実施例１１のスモールセルでランダムアクセスを行う方法のフローチャートである。
【図１２】本発明実施例のＵＥ構造構成を示す模式図である。
【図１３】本発明実施例の基地局構造構成を示す模式図である。
【図１４】本発明実施例のデュアルコネクティビティにおいてスモールセルでランダムアクセスを行うシステム構造構成を示す模式図である。
【図１５】本発明実施例の別のデュアルコネクティビティにおいてスモールセルでランダムアクセスを行うシステム構造構成を示す模式図である。
【発明を実施するための形態】
【００４３】
添付された図面（比例に従って描いているわけではない）において、類似する添付された図面記号は異なる図面で類似する部品を述べることができる。異なる文字接尾辞を備える類似する添付された図面記号は、類似する部品の異なる例を示すことができる。添付された図面は、限定の方法じゃなく例の方法で本文における打ち合わせをする各実施例を示している。
【００４４】
本発明の各種の実施例において、ＵＥは指定スモールセルで前記指定スモールセルが属している基地局へ前記指定スモールセルに対応する専用ランダムアクセスプリアンブルコードを送信する。ＵＥは前記マスターコントロールセルが属している基地局または前記指定スモールセルが属している基地局から送信されたランダムアクセス応答メッセージを受信することでランダムアクセスプロセスを完了する。または、ＵＥは指定スモールセルで前記指定スモールセルが属している基地局へ自分により選ばれた専用ランダムアクセスプリアンブルコードを送信する。ＵＥは前記マスターコントロールセルが属している基地局から送信されたランダムアクセス応答メッセージを受信した後に前記マスターコントロールセルが属している基地局を通じて前記指定スモールセルが属している基地局へスケジューリングされた伝送メッセージを送信する。前記指定スモールセルが属している基地局は前記マスターコントロールセルが属している基地局を通じてＵＥへ衝突解決メッセージを返答してランダムアクセスプロセスを完了する。
【００４５】
以下、添付された図面と具体的な実施例を結び付けて本発明をさらに詳しく説明する。
【００４６】
実施例１
図２に示すように、本発明実施例のデュアルコネクティビティにおいてスモールセルでランダムアクセスを行う方法は、下記のステップを含む。
【００４７】
ステップ２０１において、ＵＥは指定スモールセルで指定スモールセルが属している基地局へ前記指定スモールセルに対応する専用ランダムアクセスプリアンブルコードを送信する。
【００４８】
ここで、前記デュアルコネクティビティはＵＥが異なる基地局に属する２つ以上のセルとデータ接続を同時に保持することを指している。
【００４９】
ステップ２０１の前に、当該方法は、さらに、
ＵＥがデュアルコネクティビティにおいてマスターコントロールセルが属している基地局と前記指定スモールセルが属している基地局の的協議結果及び通知された前記指定スモールセルに基づいて前記指定スモールセルに対応する専用ランダムアクセスプリアンブルコードを確定すること、または、
ＵＥがデュアルコネクティビティにおいてマスターコントロールセルが属している基地局と前記指定スモールセルが属している基地局の協議結果及び通知された前記専用ランダムアクセスプリアンブルコードに対応する専用ランダムアクセスプリアンブルパラメータに基づいて前記指定スモールセルを確定することを含んでもよい。
【００５０】
ここで、前記協議結果には前記マスターコントロールセルが属している基地局及び前記指定スモールセルが属している基地局それぞれの専用ランダムアクセスプリアンブルリソースが含まれる。
【００５１】
前記専用ランダムアクセスプリアンブルパラメータについて具体的に専用ランダムアクセスプリアンブルインデックスなどであってもよい。
【００５２】
ここで、ＵＥは従来技術に基づいて前記専用ランダムアクセスプリアンブルパラメータに対応する専用ランダムアクセスプリアンブルコードを取得できる。
【００５３】
前記指定スモールセルで前記指定スモールセルが属している基地局へ前記指定スモールセルに対応する専用ランダムアクセスプリアンブルコードを送信することは、具体的に、
ＵＥは前記指定スモールセルのチャネルリソースで前記指定スモールセルが属している基地局へ前記指定スモールセルに対応する専用ランダムアクセスプリアンブルコードを送信することである。
【００５４】
ステップ２０２において、ＵＥは前記マスターコントロールセルが属している基地局あるいは前記指定スモールセルが属している基地局から送信されたランダムアクセス応答メッセージを受信することでランダムアクセスプロセスを完了する。
【００５５】
実施例２
本発明実施例には、デュアルコネクティビティにおいてスモールセルでランダムアクセスを行う方法は、
デュアルコネクティビティにおいてマスターコントロールセルが属している基地局はＵＥが指定スモールセルでランダムアクセスプロセスを開始するように通知し、および／または、前記指定スモールセルの専用ランダムアクセスプリアンブルコードに対応する専用ランダムアクセスプリアンブルパラメータを通知することを含む。
【００５６】
ここで、前記デュアルコネクティビティはＵＥが異なる基地局に属する２つ以上のセルとデータ接続を同時に保持することを指している。
【００５７】
前記マスターコントロールセルは、データの伝送速度及び正しさを保証するように、確立された複数のデータ接続を制御と管理することを担当する。
【００５８】
前記ＵＥが指定スモールセルでランダムアクセスプロセスを開始するように通知し、および／または、前記指定スモールセルの専用ランダムアクセスプリアンブルコードに対応する専用ランダムアクセスプリアンブルパラメータを通知することは、具体的に、
前記マスターコントロールセルが属している基地局は、ＰＤＣＣＨ  ｏｒｄｅｒ、ＭＡＣシグナルまたはＲＲＣシグナルを介してＵＥが前記指定スモールセルでランダムアクセスプロセスを開始するように通知し、および／または前記専用ランダムアクセスプリアンブルコードに対応する専用ランダムアクセスプリアンブルパラメータを通知することである。
【００５９】
前記マスターコントロールセルが属している基地局は、ＵＥが前記指定スモールセルでランダムアクセスプロセスを開始するように通知し、または、前記専用ランダムアクセスプリアンブルコードに対応する専用ランダムアクセスプリアンブルパラメータをＵＥへ通知する時に、前記マスターコントロールセルが属している基地局は、ＵＥが前記指定スモールセルでランダムアクセスプロセスを開始するように通知し、または、前記専用ランダムアクセスプリアンブルコードに対応する専用ランダムアクセスプリアンブルパラメータをＵＥへ通知する前に、当該方法は、さらに、
前記マスターコントロールセルが属している基地局は、前記マスターコントロールセルが属している基地局及び前記指定スモールセルが属している基地局それぞれの専用ランダムアクセスプリアンブルリソースを含む協議結果をＵＥへ送信することを含む。
【００６０】
ここで、前記専用ランダムアクセスプリアンブルパラメータは、具体的に、専用ランダムアクセスプリアンブルインデックスなどであってもよい。
【００６１】
前記方法には、さらに、前記マスターコントロールセルが属している基地局は、前記指定スモールセルが属している基地局へＵＥが前記指定スモールセルでランダムアクセスプロセスを開始するように通知し、および、対応する専用ランダムアクセスプリアンブルパラメータを通知することが含まれる。
【００６２】
実施例３
図３に示すように、本発明実施例のデュアルコネクティビティにおいてスモールセルでランダムアクセスする方法は下記のステップを含む。
【００６３】
ステップ３０１において、デュアルコネクティビティにおいてマスターコントロールセルが属している基地局は、ＵＥが指定スモールセルでランダムアクセスプロセスを開始するように通知し、および／または前記専用ランダムアクセスプリアンブルコードに対応する専用ランダムアクセスプリアンブルパラメータを通知する。
【００６４】
ここで、前記デュアルコネクティビティは、ＵＥが異なる基地局に属する２つ以上のセルとデータ接続を同時に保持することを指している。
【００６５】
前記マスターコントロールセルは、データ伝送速度及び正しさを保証するように、確立された複数のデータ接続を制御と管理することを担当する。
【００６６】
前記ＵＥが前記指定スモールセルでランダムアクセスプロセスを開始することを通知し、および／または前記専用ランダムアクセスプリアンブルコードに対応する専用ランダムアクセスプリアンブルパラメータを通知することは、具体的に、
前記マスターコントロールセルが属している基地局は、ＰＤＣＣＨ  ｏｒｄｅｒ、ＭＡＣシグナルまたはＲＲＣシグナルを介してＵＥが前記指定スモールセルでランダムアクセスプロセスを開始するようにを通知し、および／または前記専用ランダムアクセスプリアンブルコードに対応する専用ランダムアクセスプリアンブルパラメータを通知することである。
【００６７】
ステップ３０２において、ＵＥは、通知を受信する後に、前記指定スモールセルで前記指定スモールセルが属している基地局へ前記指定スモールセルに対応する専用ランダムアクセスプリアンブルコードを送信する。
【００６８】
ここで、前記マスターコントロールセルが属している基地局は、ＵＥが前記指定スモールセルでランダムアクセスプロセスを開始するように通知し、または、前記専用ランダムアクセスプリアンブルコードに対応する専用ランダムアクセスプリアンブルパラメータをＵＥに通知する前に、当該方法はさらに、
前記マスターコントロールセルが属している基地局と前記指定スモールセルが属している基地局はそれぞれの専用ランダムアクセスプリアンブルパラメータを協議してＵＥへ協議結果を送信する。
【００６９】
相応的に、前記ＵＥが指定スモールセルで前記指定スモールセルが属している基地局へ前記指定スモールセルに対応する専用ランダムアクセスプリアンブルコードを送信する前に、当該方法は、さらに
ＵＥは前記協議結果及び通知された前記指定スモールセルに基づいて、前記指定スモールセルに対応する専用ランダムアクセスプリアンブルコードを確定すること、または、
ＵＥは前記協議結果及び通知された前記専用ランダムアクセスプリアンブルコードに対応する専用ランダムアクセスプリアンブルパラメータに基づいて前記指定スモールセルを確定することを含み、
ここで、前記協議結果には、前記マスターコントロールセルが属している基地局及び前記指定スモールセルが属している基地局それぞれの専用ランダムアクセスプリアンブルリソースが含まれる。
【００７０】
ここで、前記専用ランダムアクセスプリアンブルパラメータは、具体的に、専用ランダムアクセスプリアンブルインデックスなどであってもよい。
【００７１】
ここで、ＵＥは、従来技術に基づいて前記専用ランダムアクセスプリアンブルパラメータに対応する専用ランダムアクセスプリアンブルコードを取得できる。
【００７２】
前記指定スモールセルで前記指定スモールセルが属している基地局へ前記指定スモールセルに対応する専用ランダムアクセスプリアンブルコードを送信することは、具体的に、
ＵＥは前記指定スモールセルのチャネルリソースで前記指定スモールセルが属している基地局へ前記指定スモールセルに対応する専用ランダムアクセスプリアンブルコードを送信することである。
【００７３】
ステップ３０２を実行する前に、当該方法は、さらに、
前記マスターコントロールセルが属している基地局は、前記指定スモールセルが属している基地局へＵＥが前記指定スモールセルでランダムアクセスプロセスを開始するように通知し、及び、対応する専用ランダムアクセスプリアンブルパラメータを通知することを含んでもよい。
【００７４】
ステップ３０３において、ＵＥは、前記マスターコントロールセルが属している基地局または前記指定スモールセルが属している基地局から送信されたランダムアクセス応答メッセージを受信してランダムアクセスプロセスを完了する。
【００７５】
ここで、ＵＥは、前記マスターコントロールセルが属している基地局または前記指定スモールセルが属している基地局から送信されたランダムアクセス応答メッセージを受信する前に、当該方法は、さらに、
前記指定スモールセルが属している基地局は、前記専用ランダムアクセスプリアンブルコードを受信した後に、ＴＡ値を計算し、計算が完了後に前記マスターコントロールセルが属している基地局へ通知し、前記マスターコントロールセルが属している基地局は、通知を受信した後にＵＥへランダムアクセス応答メッセージを送信すること、または、
前記指定スモールセルが属している基地局は、前記専用ランダムアクセスプリアンブルコードを受信した後にＴＡ値を計算し、計算完了後にＵＥへランダムアクセス応答メッセージを送信することを含む。
【００７６】
実施例４
図４に示すように、本発明実施例のもう一つのデュアルコネクティビティにおいてスモールセルでランダムアクセスを行う方法は、下記のステップを含む。
【００７７】
ステップ４０１において、ＵＥは、指定スモールセルで前記指定スモールセルが属している基地局へ自分により選ばれた専用ランダムアクセスプリアンブルコードを送信する。
【００７８】
ここで、ステップ４０１を実行する前に、当該方法は、さらに、
デュアルコネクティビティにおいてマスターコントロールセルが属している基地局は、ＵＥが前記指定スモールセルでランダムアクセスプロセスを開始するように通知することを含んでもよい。
【００７９】
ここで、前記デュアルコネクティビティは、ＵＥが異なる基地局に属する２つ以上のセルとデータ接続を同時に保持することを指している。
【００８０】
前記マスターコントロールセルは、データの伝送速度及び正しさを確保するように、複数のデータ接続を確立に対する制御と管理を担当する。
【００８１】
前記マスターコントロールセルが属している基地局は、ＵＥが前記指定スモールセルでランダムアクセスプロセスを起こすように通知することは、具体的に、
前記マスターコントロールセルが属している基地局はＰＤＣＣＨ  ｏｒｄｅｒ、ＭＡＣシグナルまたはＲＲＣシグナルを介して、ＵＥが前記指定スモールセルでランダムアクセスプロセスを開始することを含む。
【００８２】
ＵＥがランダムアクセスプリアンブルコードを選ぶ詳しい処理プロセスについては、本発明の関心する内容ではない。
【００８３】
前記指定スモールセルで前記指定スモールセルが属している基地局へ自分により選ばれた専用ランダムアクセスプリアンブルコードを送信することは、具体的に、
ＵＥは、前記指定スモールセルのチャネルリソースで前記指定スモールセルが属している基地局へ自分により選ばれた専用ランダムアクセスプリアンブルコードを送信することを含む。
【００８４】
ステップ４０２において、ＵＥは、前記マスターコントロールセルが属している基地局から送信されたランダムアクセス応答メッセージを受信した後、前記マスターコントロールセルが属している基地局を通じて前記指定スモールセルが属している基地局へスケジューリングされた伝送メッセージを送信する。
【００８５】
具体的に、ＵＥは、前記マスターコントロールセルが属している基地局へスケジューリングされた伝送メッセージを送信する。
【００８６】
前記マスターコントロールセルが属している基地局は、受信されたスケジューリングされた伝送メッセージにおける前記指定スモールセルのアイデンティティーに基づいて、前記指定スモールセルが属している基地局へスケジューリングされた伝送メッセージを転送する。
【００８７】
ここで、前記指定スモールセルのアイデンティティーについて、具体的に、前記指定スモールセルまたは前記指定スモールセルが属している基地局でランダムアクセスプロセスを行うことを表明できるアイデンティティーであってもよく、例えば、前記指定スモールセルのセルアイデンティティーまたは前記指定スモールセルが属している基地局アイデンティティーなどであってもよい。
【００８８】
ステップ４０３において、前記指定スモールセルが属している基地局は、前記マスターコントロールセルが属している基地局を通じてＵＥへ衝突解決メッセージを返答してランダムアクセスプロセスを完了する。
【００８９】
具体的に、前記指定スモールセルが属している基地局は、衝突解決メッセージを生成する後に前記マスターコントロールセルが属している基地局へ衝突解決メッセージを返答する。
【００９０】
前記マスターコントロールセルが属している基地局は、受信された衝突解決メッセージにおける前記指定スモールセルのアイデンティティーとＵＥアイデンティティーに基づいてＵＥへ衝突解決メッセージを転送する。
【００９１】
ここで、前記指定スモールセルのアイデンティティーについて、具体的に、前記指定スモールセルまたは前記指定スモールセルが属している基地局でランダムアクセスプロセスを行うことを表明できるアイデンティティーであってもよく、例えば、前記指定スモールセルのセルアイデンティティーまたは前記指定スモールセルが属している基地局のアイデンティティーなどであってもよい。
【００９２】
実施例５
本実施例の適用シーンについて、デュアルコネクティビティにおいて、基地局１はマクロ基地局であって１つのセルがあり即ちセル１であり、基地局２はスモールセル基地局であって２つのセルがありそれぞれセル３とセル４である。ここで、制御接続はマクロ基地局に確立され、即ち基地局１に確立される。
【００９３】
図５に示すように、本実施例のスモールセルでランダムアクセスを行う方法は下記のステップを含む。
【００９４】
ステップ５００において、ＵＥはセル１と接続を確立した後に、セル１が属している基地局１はＵＥへ測定タスクを送信し、かつＵＥから報告された測定報告を受信し、その後にステップ５０１を実行する。
【００９５】
ステップ５０１において、基地局１は測定報告に基づいて、サービストラフィックが増えてＵＥにセルを追加する必要があることを発見したため、ＵＥへセル３を追加する構成コマンドを送信する。
【００９６】
ステップ５０２において、ＵＥは構成コマンドを受信した後、セル３を追加する。
【００９７】
ここで、本ステップの具体的な実現することは従来技術を使用できる。
【００９８】
ステップ５０３において、基地局１は、スモールセル３が属している基地局２へＵＥに割り当てられた専用ランダムアクセスプリアンブルインデックスを通知し、かつＵＥがセル３でランダムアクセスプロセスを実行することを基地局２へ通知する。
【００９９】
ここで、本ステップはステップ５０１、５０２と並列実行できる。
【０１００】
ステップ５０４において、基地局１はＰＤＣＣＨ  ｏｒｄｅｒを介してＵＥがランダムアクセスプロセスを行うように通知する。
【０１０１】
ここで、ＰＤＣＣＨ  ｏｒｄｅｒにはセル３のアイデンティティーが含まれ、具体的に、セルアイデンティティーまたはサービスセルアイデンティティーまたはセル３を指示するための他の指示方法であってもよく、ＰＤＣＣＨ  ｏｒｄｅｒにはさらにＵＥに割り当てられた専用ランダムアクセスプリアンブルインデックスが含まれる。ＵＥに割り当てられた専用ランダムアクセスプリアンブルインデックスが６０であると仮定する。
【０１０２】
ステップ５０５において、ＵＥは、基地局１の通知を受信した後、指定のセル即ちセル３のチャネルリソースで基地局２へ基地局１から通知された専用ランダムアクセスプリアンブルインデックス６０に対応する専用ランダムアクセスプリアンブルコードを送信し、その後にステップ５０６を実行する。
【０１０３】
ステップ５０６において、ＵＥは指定の時間を遅延して受信ウィンドウを開く。
【０１０４】
ここで、指定の時間について、基地局により設定されてもよく、または予め設定してもよく、例えば５０ｍｓである。
【０１０５】
本ステップの実行目的について、基地局１と基地局２の間に十分の交信時間があり、ＵＥがランダムアクセスプロセスを順調に完了させることである。
【０１０６】
ステップ５０７において、基地局２は専用ランダムアクセスプリアンブルコードを受信した後、ＴＡ値を計算する。
【０１０７】
ステップ５０８において、基地局２はＴＡ値を計算した後、基地局１へＴＡ値及び専用ランダムアクセスプリアンブルコードを通知する。
【０１０８】
ステップ５０９において、基地局１は通知を受信した後、受信された専用ランダムアクセスプリアンブルコードに基づいてＵＥへランダムアクセス応答メッセージを送信する。
【０１０９】
ここで、前記ランダムアクセス応答メッセージには、少なくとも基地局２により受信された専用ランダムアクセスプリアンブルコード及びＴＡ値が含まれる。
【０１１０】
ステップ５１０において、ＵＥはランダムアクセス応答メッセージを受信した後に、ランダムアクセス応答メッセージに含まれている専用ランダムアクセスプリアンブルコードと自身から送信した専用ランダムアクセスプリアンブルコードが同一であると確認し、ランダムアクセスプロセスは完了される。
【０１１１】
ここで、ランダムアクセスプロセスは完了された後に、ＵＥはＴＡ値を用いてセル３でアップリンクデータ伝送を行うことができる。
【０１１２】
実施例６
本実施例の適用シーンは、デュアルコネクティビティにおいて、基地局１はマクロ基地局であって１つのセルがあり即ちセル１であるが、基地局２はスモールセル基地局であって２つのセルがあってそれぞれセル３及びセル４である。ここで、制御接続はマクロ基地局に確立され、即ち基地局１に確立される。
【０１１３】
図６に示すように、本実施例のスモールセルでランダムアクセスを行う方法について、下記のステップを含む。
【０１１４】
ステップ６００において、ＵＥはセル１と接続を確立した後に、セル１が属している基地局１はＵＥへ測定タスクを送信し、かつＵＥから報告された測定報告を受信し、その後にステップ５０１を実行する。
【０１１５】
ステップ６０１において、基地局１は、測定報告に基づいてサービストラフィックが増えてＵＥにセルを追加する必要があることを発見したため、ＵＥへセル３を追加するための構成コマンドを送信し、ランダムアクセスプロセスを実行する必要がある指示をＵＥへ同時に通知する。
【０１１６】
ここで、指示にはランダムアクセスを実行するセル３のアイデンティティーが含まれ、具体的に、セルアイデンティティーまたはセルアイデンティティーまたはセル３を指示するための他の指示方法であってもよく、また、指示にはＵＥに対して割り当てられた専用ランダムアクセスプリアンブルインデックスが含まれている。ＵＥに割り当てられた専用ランダムアクセスプリアンブルインデックスは５９であると仮定する。
【０１１７】
ステップ６０２において、基地局１はスモールセル３が属している基地局２へＵＥに割り当てられた専用ランダムアクセスプリアンブルインデックスを通知し、かつ基地局２にＵＥがセル３でランダムアクセスプロセスを実行することを通知する。
【０１１８】
ここで、本ステップはステップ５０１と並列実行できる。
【０１１９】
ステップ６０３において、ＵＥは構成コマンドを受信した後、セル３を追加して、その後にステップ６０４を実行する。
【０１２０】
ここで、本ステップの具体実現について、従来技術を使用できる。
【０１２１】
ステップ６０４において、ＵＥは、指定のセル即ちセル３のチャネルリソースで基地局２へ基地局１から通知された専用ランダムアクセスプリアンブルインデックス５９に対応する専用ランダムアクセスプリアンブルコードを送信して、その後にステップ６０５を実行する。
【０１２２】
ステップ６０５において、ＵＥは、指定の時間を遅延して受信ウィンドウを開く。
【０１２３】
ここで、指定の時間は、基地局により設定されてもよく、または予め設定してもよく、例えば５０ｍｓである。
【０１２４】
本ステップの実行する目的について、ＵＥが順調にランダムアクセスプロセスを完了できるように、基地局１及び基地局２の間に充分の交信時間がある。
【０１２５】
ステップ６０６において、基地局２はプリアンブルコードを受信した後、ＴＡ値を計算する。
【０１２６】
ステップ６０７において、基地局２はＴＡ値を計算した後、基地局１へＴＡ値及び専用ランダムアクセスプリアンブルコードを通知する。
【０１２７】
ステップ６０８において、基地局１は通知を受信した後、受信された専用ランダムアクセスプリアンブルコードに基づいてＵＥへランダムアクセス応答メッセージを送信する。
【０１２８】
ここで、前記ランダムアクセス応答メッセージには、少なくとも基地局２により受信された専用ランダムアクセスプリアンブルコード及びＴＡ値が含まれる。
【０１２９】
ステップ６０９において、ＵＥは、ランダムアクセス応答メッセージを受信した後、ランダムアクセス応答メッセージに含まれている専用ランダムアクセスプリアンブルコードと自分から送信した専用ランダムアクセスプリアンブルコードが同一であると確認し、ランダムアクセスプロセスが完了される。
【０１３０】
ここで、ランダムアクセスプロセスは完了された後、ＵＥはＴＡ値を用いてセル３でアップリンクデータ送信を行うことができる。
【０１３１】
実施例７
本実施例の適用シーンについて、デュアルコネクティビティにおいて、基地局１はマクロ基地局であり、１つのセルがあり即ちセル１であり、基地局２はスモールセル基地局であり、２つのセルがありそれぞれセル３及びセル４であり、ここで、制御接続はマクロ基地局に確立され、即ち制御接続は基地局１に確立される。
【０１３２】
本実施例のスモールセルにランダムアクセスを行う方法について、図７に示すように、下記のステップを含む。
【０１３３】
ステップ７００において、ＵＥは、セル１と接続を確立した後、セル１が属している基地局１は、ＵＥへ測定タスクを送信し、かつＵＥから報告された測定報告を受信して、その後にステップ７０１を実行する。
【０１３４】
ステップ７０１において、基地局１は、測定報告に基づいてサービストラフィックが増えてＵＥにセルを追加する必要があることを発見したため、ＵＥへセル３を追加する構成コマンドを送信する。
【０１３５】
ステップ７０２において、ＵＥは構成コマンドを受信した後、セル３を追加する。
【０１３６】
ここで、本ステップの具体実現することは従来技術を使用できる。
【０１３７】
ステップ７０３において、基地局１は、セル３が属している基地局２へＵＥに割り当てられた専用ランダムアクセスプリアンブルインデックスを通知し、かつＵＥがセル３でランダムアクセスプロセスを実行することを基地局２に通知する。
【０１３８】
ここで、本ステップはステップ７０１、７０２と並列実行できる。
【０１３９】
ステップ７０４において、基地局１はＭＡＣシグナルを介してＵＥがランダムアクセスプロセスを行うように通知する。
【０１４０】
ここで、ＭＡＣシグナルにはランダムアクセスプロセスを実行する必要がある指示が含まれ、ＭＡＣシグナルにはセル３のアイデンティティーが含まれ、具体的にセルアイデンティティーまたはサービスセルアイデンティティーまたはセル３を指示する他の指示方法であってもよく、また、ＭＡＣシグナルにはＵＥに割り当てられた専用ランダムアクセスプリアンブルインデックスも含まれる。ＵＥに割り当てられた専用ランダムアクセスプリアンブルインデックスが５９であると仮定する。
【０１４１】
ステップ７０５において、ＵＥは、基地局１からの通知を受信した後、指定のセル即ちセル３のチャネルリソースで基地局２へ基地局１から通知された専用ランダムアクセスプリアンブルインデックス５９に対応する専用ランダムアクセスプリアンブルコードを送信し、そのあとにステップ７０６を実行する。
【０１４２】
ステップ７０６において、ＵＥは指定の時間を遅延して受信ウィンドウを開く。
【０１４３】
ここで、指定の時間は、基地局により構成され、または予め設定され、例えば５０ｍｓである。
【０１４４】
本ステップの実行する目的について、ＵＥに順調にランダムアクセスプロセスを完了させるように、基地局１及び基地局２の間に充分の交信時間がある。
【０１４５】
ステップ７０７において、基地局２は専用ランダムアクセスプリアンブルコードを受信した後、ＴＡ値を計算する。
【０１４６】
ステップ７０８において、基地局２はＴＡ値を計算した後、基地局１へＴＡ値及び専用ランダムアクセスプリアンブルコードを通知する。
【０１４７】
ステップ７０９において、基地局１は通知を受信した後、受信された専用ランダムアクセスプリアンブルコードに基づいてＵＥへランダムアクセス応答メッセージを送信する。
【０１４８】
ここで、前記ランダムアクセス応答メッセージには、少なくとも基地局２により受信された専用ランダムアクセスプリアンブルコード及びＴＡ値が含まれる。
【０１４９】
ステップ７１０において、ＵＥは、ランダムアクセス応答メッセージを受信した後、ランダムアクセス応答メッセージに含まれている専用ランダムアクセスプリアンブルコードと自分から送信した専用ランダムアクセスプリアンブルコードが同一であると確認し、ランダムアクセスプロセスが完了される。
【０１５０】
ここで、ランダムアクセスプロセスが完了された後、ＵＥは、ＴＡ値を用いてセル３でアップリンクデータ送信を行う。
【０１５１】
実施例８
本実施例の適用シーンについて、デュアルコネクティビティにおいて、基地局１はマクロ基地局であり、１つのセルがあって即ちセル１であり、基地局２はスモールセル基地局であり、二つのセルがあってそれぞれセル３及びセル４であり、ここで、制御接続はマクロ基地局に確立され、即ち制御接続は基地局１に確立される。
【０１５２】
本実施例のスモールセルでランダムアクセスを行う方法は、図８に示すように、下記のステップを含む。
【０１５３】
ステップ８００において、ＵＥは、セル１との接続が確立された後、セル１が属している基地局１は、ＵＥへ測定タスクを送信し、かつＵＥから報告された測定報告を受信し、その後にステップ８０１を実行する。
【０１５４】
ステップ８０１において、基地局１は、スモールセルが属している基地局２と協議して、それぞれ専用ランダムアクセスプリアンブルリソースを協議し取得する。
【０１５５】
ここで、下記の内容について協議する後に確定すると仮定する。基地局１のランダムアクセスプリアンブルインデックス５６−６３において、ランダムアクセスプリアンブルインデックス６０−６３を基地局２にリザーブドし、即ち基地局１で送信された専用ランダムアクセス専用プリアンブルインデックスが６０−６３である時に、ＵＥは基地局２のスモールセルでランダムアクセスを開始すべきであると認め、基地局２のランダムアクセス専用プリアンブルインデックスは５２−６３において、ランダムアクセスプリアンブルインデックス５２−５５を基地局１にリザーブドし、即ち基地局２で送信された専用ランダムアクセスプリアンブルインデックスがインデックス５２−５５である時に、ＵＥは基地局１のマクロセルでランダムアクセスを開始すべきであると認める。
【０１５６】
ステップ８０２において、基地局１はＵＥへ協議結果を通知する。
【０１５７】
ここで、基地局１は、システムメッセージまたは専用メッセージを介してＵＥへ協議結果を通知できる。
【０１５８】
前記協議結果には、基地局１及び基地局２それぞれの専用ランダムアクセスプリアンブルリソースが含まれる。
【０１５９】
ステップ８０３において、基地局１は、ＵＥから報告された測定報告に基づいて、サービストラフィックが増えてＵＥにセルを追加する必要があることを発見したため、ＵＥへセル３を追加する構成コマンドを送信する。
【０１６０】
ステップ８０４において、ＵＥは、構成コマンドを受信した後、セル３を追加する。
【０１６１】
ここで、本ステップの具体実現することは従来技術を使用できる。
【０１６２】
ステップ８０５において、基地局１は、セル３が属している基地局２へＵＥに割り当てられた専用ランダムアクセスプリアンブルインデックスを通知し、かつＵＥがセル３でランダムアクセスプロセスを実行することを基地局２へ通知する。
【０１６３】
ここで、通知にはＵＥのアイデンティティーが含まれる。
【０１６４】
本ステップはステップ７０３、７０４と並列実行できる。
【０１６５】
ステップ８０６において、基地局１はＰＤＣＣＨ  ｏｒｄｅｒを介してＵＥがランダムアクセスプロセスを行うように通知する。
【０１６６】
ここで、ＰＤＣＣＨ  ｏｒｄｅｒにセル３のアイデンティティーが含まれ、具体的に、セルアイデンティティーまたはサービスセルアイデンティティーまたはセル３を指示する他の指示方法であってもよく、または、ＰＤＣＣＨ  ｏｒｄｅｒにはＵＥに割り当てられた専用ランダムアクセスプリアンブルインデックスが含まれる。ＵＥに割り当てられた専用ランダムアクセスプリアンブルインデックスが６０であると仮定する。
【０１６７】
ステップ８０７において、ＵＥは、基地局１の通知を受信した後、指定のセル即ちセル３のチャネルリソースで基地局２へ基地局１により通知された専用ランダムアクセスプリアンブルインデックス６０に対応する専用ランダムアクセスプリアンブルコードを送信する。
【０１６８】
ここで、通知にはセル３のアイデンティティーが含まれるときに、ＵＥは、受信された協議結果に基づいて対応する専用ランダムアクセスプリアンブルコードを確定できる。
【０１６９】
通知にはＵＥに割り当てられた専用ランダムアクセスプリアンブルインデックスが含まれるときに、ＵＥは、受信された協議結果に基づいて指定のセルがセル３であると確定する。
【０１７０】
ステップ８０８において、基地局２は、専用ランダムアクセスプリアンブルコードを受信した後、ＴＡ値を計算する。
【０１７１】
ステップ８０９において、基地局２は、ＴＡ値を計算した後、ＵＥへランダムアクセス応答メッセージを送信する。
【０１７２】
ここで、前記ランダムアクセス応答メッセージには、少なくとも基地局２により受信された専用ランダムアクセスプリアンブルコード及びＴＡ値が含まれる。
【０１７３】
ステップ８１０において、ＵＥは、セル３のパブリックサーチスペース（Ｐｕｂｌｉｃ  Ｓｅａｒｃｈ  Ｓｐａｃｅ）を検索し、かつランダムアクセス応答メッセージを受信した後、ランダムアクセス応答メッセージに含まれた専用ランダムアクセスプリアンブルコードと自分から送信した専用ランダムアクセスプリアンブルコードが同一であると確認し、ランダムアクセスプロセスが完了される。
【０１７４】
ここで、ランダムアクセスプロセスが完了された後、ＵＥはＴＡ値を用いてセル３でアップリンクデータ送信を行うことができる。
【０１７５】
実施例９
本実施例の適用シーンについて、デュアルコネクティビティにおいて、基地局１はマクロ基地局であり、１つのセルがあって即ちセル１であり、基地局２はスモールセル基地局であり、二つのセルがあってそれぞれセル３及びセル４であり、ここで、制御接続はマクロ基地局に確立され、即ち基地局１に確立される。
【０１７６】
本実施例のスモールセルでランダムアクセスを行う方法は、図９に示すように、下記のステップを含む。
【０１７７】
ステップ９００において、ＵＥはセル１との接続が確立された後、セル１が属している基地局１はＵＥへ測定タスクを送信し、かつＵＥから報告された測定報告を受信し、その後にステップ９０１を実行する。
【０１７８】
ステップ９０１において、基地局１は、スモールセルが属している基地局２と協議して、それぞれの専用ランダムアクセスプリアンブルリソースを協議し取得する。
【０１７９】
ここで、下記の内容について協議する後に確定すると仮定する。基地局１のランダムアクセスプリアンブルインデックス５６−６３において、ランダムアクセスプリアンブルインデックス６０−６３を基地局２にリザーブドし、即ち基地局１で送信された専用ランダムアクセス専用プリアンブルインデックスが６０−６３である時、ＵＥは基地局２のスモールセルでランダムアクセスを開始すべきであると認め、基地局２のランダムアクセス専用プリアンブルインデックスが５２−６３において、ランダムアクセスプリアンブルインデックス５２−５５を基地局１にリザーブドし、即ち基地局２で送信された専用ランダムアクセスプリアンブルインデックスがインデックス５２−５５である時、ＵＥは基地局１のマクロセルでランダムアクセスを開始すべきであると認める。
【０１８０】
ステップ９０２において、基地局１はＵＥへ協議結果を通知する。
【０１８１】
ここで、基地局１は、システムメッセージまたは専用メッセージを介してＵＥへ協議結果を通知できる。
【０１８２】
前記協議結果には、基地局１及び基地局２それぞれの専用ランダムアクセスプリアンブルリソースが含まれる。
【０１８３】
ステップ９０３において、基地局１は、ＵＥから報告された測定報告に基づいて、サービストラフィックが増えてＵＥにセルを追加する必要があることを発見したため、セル３及びセル４を追加する構成コマンドをＵＥへ送信する。
【０１８４】
ここで、セル３及びセル４が使用したＴＡ値は同じであると仮定する。
【０１８５】
ステップ９０４において、ＵＥは、構成コマンドを受信した後、セル３及びセル４を追加する。
【０１８６】
ここで、本ステップの具体実現することは、従来技術を使用できる。
【０１８７】
ステップ９０５において、基地局１は、セル３が属している基地局２へＵＥに割り当てられた専用ランダムアクセスプリアンブルインデックスを通知し、かつＵＥがセル３またはセル４でランダムアクセスプロセスを実行することを基地局２へ通知する。
【０１８８】
ここで、通知にはＵＥのアイデンティティーが含まれる。
【０１８９】
本ステップはステップ９０３、９０４と並列実行できる。
【０１９０】
ステップ９０６において、基地局１は、ＰＤＣＣＨ  ｏｒｄｅｒを介してＵＥがセル３またはセル４でランダムアクセスプロセスを行うように通知する。
【０１９１】
ここで、ＰＤＣＣＨ  ｏｒｄｅｒにはセル３及びセル４のアイデンティティーが含まれ、含まれたアイデンティティーが具体的にセルアイデンティティーまたはサービスセルアイデンティティーまたはセルを指示する他の指示方法であってもよく、または、ＰＤＣＣＨ  ｏｒｄｅｒにはＵＥに割り当てられた専用ランダムアクセスプリアンブルインデックスが含まれた。ＵＥに割り当てられた専用ランダムアクセスプリアンブルインデックスが６０であると仮定する。
【０１９２】
ステップ９０７において、ＵＥは、基地局１の通知を受信した後、セル３またはセル４のチャネルリソースで基地局１により通知された専用ランダムアクセスプリアンブルインデックス６０に対応する専用ランダムアクセスプリアンブルコードを基地局２へ送信することを選択する。ここで、通知にはセル３及びセル４のアイデンティティーが含まれた時に、ＵＥは、受信された協議結果に基づいて対応する専用ランダムアクセスプリアンブルコードを確定でき、通知にはＵＥに割り当てられた専用ランダムアクセスプリアンブルインデックスが含まれた時に、ＵＥは受信された協議結果に基づいて指定のセルがセル３またはセル４であると確定できる。
【０１９３】
ＵＥはセル３で専用ランダムアクセスプリアンブルコードを送信することを選択すると仮定する。
【０１９４】
ステップ９０８において、基地局２は、専用ランダムアクセスプリアンブルコードを受信した後、ＴＡ値を計算する。
【０１９５】
ステップ９０９において、基地局２は、ＴＡ値を計算した後、ＵＥへランダムアクセス応答メッセージを送信する。ここで、前記ランダムアクセス応答メッセージには、少なくとも基地局２により受信された専用ランダムアクセスプリアンブルコード及びＴＡ値が含まれる。
【０１９６】
ステップ９１０において、ＵＥは、セル３の公共検索空間を探索し、かつランダムアクセス応答メッセージを受信した後、ランダムアクセス応答メッセージに含まれている専用ランダムアクセスプリアンブルコードと自分から送信した専用ランダムアクセスプリアンブルコードが同一であると確認し、ランダムアクセスプロセスが完了される。
【０１９７】
ここで、セル３及びセル４に対応するＴＡ値は同じなので、ランダムアクセスプロセスが完了された後に、ＵＥはＴＡ値を利用してセル３及びセル４でアップリンクデータ送信を行うことができる。
【０１９８】
実施例１０
本実施例の適用シーンについて、デュアルコネクティビティにおいて、基地局１はマクロ基地局であって１つのセルがあり即ちセル１であるが、基地局２はスモールセル基地局であって２つのセルがありそれぞれセル３及びセル４である。ここで、制御接続はマクロ基地局に確立され、即ち基地局１に確立される。
【０１９９】
本実施例のスモールセルでランダムアクセスを行う方法は、図１０に示すように、下記のステップを含む。
【０２００】
ステップ１０００において、ＵＥは、セル１と接続を確立した後、セル１が属している基地局１は、セル無線ネットワーク一時識別子（Ｃ−ＲＮＴＩ：Ｃｅｌｌ−Ｒａｄｉｏ  Ｎｅｔｗｏｒｋ  Ｔｅｍｐｏｒａｒｙ  Ｉｄｅｎｔｉｆｉｅｒ）をＵＥに割り当て、且つＵＥへ測定タスクを送信し、かつＵＥから報告された測定報告を受信し、その後にステップ１００１を実行する。
【０２０１】
ここで、割り当てられたＣ−ＲＮＴＩがＣ−ＲＮＴＩ−１であると仮定する。
【０２０２】
ステップ１００１において、基地局１は、ＵＥから報告された測定報告に基づいて、サービストラフィックが増えてＵＥにセルを追加する必要があることを発見したため、セル３を追加する構成コマンドをＵＥへ送信する。
【０２０３】
ステップ１００２において、ＵＥは、構成コマンドを受信した後、セル３を追加する。
【０２０４】
ステップ１００３において、基地局１は、ＵＥがセル３でランダムアクセスプロセスを行うように通知する。
【０２０５】
ここで、通知には専用ランダムアクセスプリアンブルインデックスが含まれない。
【０２０６】
ステップ１００４において、ＵＥは、通知を受信した後、１つのランダムアクセスプリアンブルコードを選び、かつ指定のセル３のチャネルリソースで自分により選ばれたランダムアクセスプリアンブルコードを送信する。
【０２０７】
ここで、ＵＥはセル３が自分の設定したスモールセル基地局の一番目のセルであることを見出したときに、セル３を自発的に活性化させることができ、１つのランダムアクセスプリアンブルコードを自発的に選択して指定のセル３のチャネルリソースで自分により選ばれたランダムアクセスプリアンブルコードを送信し、即ち、基地局１はＵＥがセル３でランダムアクセスプロセスを行うように通知する必要がなく、このときに、ステップ１００３を実行する必要がない。
【０２０８】
ステップ１００５において、基地局２は、ランダムアクセスプリアンブルコードを受信した後、ＴＡ値を計算し、かつＣ−ＲＮＴＩ及び一時アップリンク許可をＵＥに割り当てる。
【０２０９】
ステップ１００６において、基地局２は、割り当てを完了した後に基地局１に通知する。
【０２１０】
ここで、通知には、基地局２により受信されたランダムアクセスプリアンブルコード、ＴＡ値、ＵＥに割り当てられたＣ−ＲＮＴＩ、一時アップリンク許可のアイデンティティー、及びＵＥのアイデンティティーが含まれる。
【０２１１】
ステップ１００７において、基地局１は、通知を受信した後、ＵＥへランダムアクセス応答メッセージを送信する。
【０２１２】
ここで、前記ランダムアクセス応答メッセージには、少なくとも基地局２により受信されたランダムアクセスプリアンブルコード、ＴＡ値、基地局２がＵＥに割り当てられたＣ−ＲＮＴＩ、一時アップリンク許可のアイデンティティー、及びＵＥのアイデンティティーが含まれる。
【０２１３】
ステップ１００８において、ＵＥは、ランダムアクセス応答メッセージを受信した後、ランダムアクセス応答メッセージに含まれているランダムアクセスプリアンブルコードと自分から送信したランダムアクセスプリアンブルコードが同一であると確認し、ランダムアクセス応答メッセージが成功的に受信されたと認め、その後に、ステップ１００９を実行する。
【０２１４】
ステップ１００９において、ＵＥはＣ−ＲＮＴＩ−１を使用して基地局１へメッセージ３を返答する。
【０２１５】
ここで、前記メッセージ３は、スケジューリングされた伝送に用いられ、即ちスケジューリングされた伝送メッセージであり、前記メッセージ３にはセル３のセルアイデンティティーが含まれる。
【０２１６】
ステップ１０１０において、基地局１は、メッセージ３を受信した後、前記メッセージ３に含まれているセル３のセルアイデンティティーに基づいて、前記メッセージ３をセル３が属している基地局２へ転送する。
【０２１７】
ここで、転送されたメッセージ３には、Ｃ−ＲＮＴＩ−１及びセル３のセルアイデンティティーが含まれる。
【０２１８】
ステップ１０１１において、基地局２は、メッセージ３を受信した後、ＵＥにアップリンク許可リソースを割り当てる。
【０２１９】
ステップ１０１２において、基地局２は、基地局１へメッセージ４を送信する。
【０２２０】
ここで、基地局２が基地局１へ送信したメッセージ４は衝突を解決することに用いられ、即ち衝突解決メッセージであり、基地局２が基地局１へ送信したメッセージにはＵＥに割り当てられたアップリンク許可リソース、セル３のセルアイデンティティー及びＵＥのアイデンティティーが含まれる。
【０２２１】
ステップ１０１３において、基地局１はメッセージ４を受信した後にＣ−ＲＮＴＩ−１を使用してＵＥへメッセージ４を送信する。
【０２２２】
ここで、基地局１がＵＥへ送信したメッセージ４には基地局２がＵＥへ割り当てたアップリンク許可リソース及びセル３のセルアイデンティティーが含まれる。
【０２２３】
ステップ１０１４において、ＵＥはメッセージ４を受信した後に、受信されたメッセージ４には基地局２がＵＥへ割り当てたアップリンク許可リソース及びセル３のセルアイデンティティーが含まれたと確認し、ランダムアクセスプロセスが成功的に完了されたと考えている。
【０２２４】
ここで、ランダムアクセスプロセスが完了された後、ＵＥはＴＡ値を使用してセル３でアップリンクデータ送信を行うことができる。
【０２２５】
説明する必要があるのは、ステップ１００９、１０１０、１０１２、１０１３におけるメッセージには、いずれもセル３のセルアイデンティティーが含まれるが、セルアイデンティティーであってもよい以外に、基地局２のセル３でランダムアクセスプロセスを行うことを表明できる他のアイデンティティーであってもよく、例えば、セル３のサービスセルアイデンティティー、基地局２のアイデンティティーなどであってもよいことである。
【０２２６】
実施例１１
本実施例の適用シーンについて、デュアルコネクティビティにおいて、基地局１はマクロ基地局であって１つのセルがあって即ちセル１であるが、基地局２はスモールセル基地局であって２つのセルがあってそれぞれセル３及びセル４である。ここで、制御接続はマクロ基地局に確立され、即ち基地局１に確立される。
【０２２７】
図１１に示すように、本実施例のスモールセルでランダムアクセスを行う方法は、下記のステップを含む。
【０２２８】
ステップ１１００において、ＵＥは、セル１と接続を確立した後、セル１が属している基地局１は、ＵＥへＣ−ＲＮＴＩを割り当て、ＵＥへ測定タスクを送信し、かつＵＥから報告された測定報告を受信し、その後、ステップ１１０１を実行する。
【０２２９】
ここで、割り当てられたＣ−ＲＮＴＩがＣ−ＲＮＴＩ−１であると仮定する。
【０２３０】
ステップ１１０１において、基地局１は、ＵＥから報告された測定報告に基づいて、サービストラフィックが増えてＵＥへセルを追加する必要があることを発見したため、ＵＥへセル３及びセル４を追加するための構成コマンドを送信する。
【０２３１】
ここで、セル３及びセル４により使用されたＴＡ値は同じだと仮定する。
【０２３２】
ステップ１１０２において、ＵＥは構成コマンドを受信した後にセル３及びセル４を追加する。
【０２３３】
ここで、本ステップの具体実現は従来技術を使用できる。
【０２３４】
ステップ１１０３において、基地局１はＵＥがセル３またはセル４でランダムアクセスプロセスを行うように通知する。
【０２３５】
ここで、通知には専用ランダムアクセスプリアンブルインデックスが含まれない。
【０２３６】
ステップ１１０４において、ＵＥは、基地局１の通知を受信した後、１つのランダムアクセスプリアンブルコードを自発的に選択して、かつセル３またはセル４のチャネルリソースで自分により選ばれたランダムアクセスプリアンブルコードを送信する。
【０２３７】
ここで、ＵＥはセル３またはセル４でアップリンクデータを送信する必要がある時に、セル３またはセル４を自発的に活性化させることができ、１つのランダムアクセスプリアンブルコードを自発的に選択しかつセル３またはセル４のチャネルリソースで自分により選ばれたランダムアクセスプリアンブルコードを送信し、即ち、基地局１はＵＥがセル３またはセル４でランダムアクセスプロセスを行うように通知する必要がなく、このときに、ステップ１１０３を実行する必要がない。
【０２３８】
ＵＥがセル３のチャネルリソースで自分により選ばれたランダムアクセスプリアンブルコードを送信していると仮定する。
【０２３９】
ステップ１１０５において、基地局２は、ランダムアクセスプリアンブルコードを受信した後、ＴＡ値を計算してＵＥにＣ−ＲＮＴＩ及び一時アップリンク許可のアイデンティティーを割り当てる。
【０２４０】
ステップ１１０６において、基地局２は、割り当てが完了された後に基地局１へ通知する。
【０２４１】
ここで、通知には、基地局２により受信されたランダムアクセスプリアンブルコード、ＴＡ値、ＵＥに割り当てられたＣ−ＲＮＴＩ、一時アップリンク許可のアイデンティティー、及びＵＥのアイデンティティーが含まれる。
【０２４２】
ステップ１１０７において、基地局１は、通知を受信した後、ＵＥへランダムアクセス応答メッセージを送信する。
【０２４３】
ここで、前記ランダムアクセス応答メッセージには、少なくとも基地局２が受信したランダムアクセスプリアンブルコード、ＴＡ値、基地局２のＵＥに割り当てられたＣ−ＲＮＴＩ、一時アップリンク許可のアイデンティティー、及びＵＥのアイデンティティーが含まれる。
【０２４４】
ステップ１１０８において、ＵＥは、ランダムアクセス応答メッセージを受信した後、ランダムアクセス応答メッセージに含まれているランダムアクセスプリアンブルコードと自分により送信されたランダムアクセスプリアンブルコードが同一であると確認した場合に、ランダムアクセス応答が成功的に受信されたと認め、その後に、ステップ１１０９を実行する。
【０２４５】
ステップ１１０９において、ＵＥは、Ｃ−ＲＮＴＩ−１を使用して基地局１へメッセージ３を返答する。
【０２４６】
ここで、前記メッセージ３はスケジューリングされた伝送に用いられ、即ちスケジューリングされた伝送メッセージである。前記メッセージ３にはセル３のセルアイデンティティーが含まれる。
【０２４７】
ステップ１１１０において、基地局１は、メッセージ３を受信した後、前記メッセージ３に含まれているセル３のセルアイデンティティーに基づいて、前記メッセージ３をセル３が属している基地局２へ転送する。
【０２４８】
ここで、転送されたメッセージ３にはＣ−ＲＮＴＩ−１及びセル３のセルアイデンティティーが含まれる。
【０２４９】
ステップ１１１１において、基地局２は、メッセージ３を受信した後、メッセージ４を組んで、アップリンク許可リソースをＵＥに割り当てる。
【０２５０】
ステップ１１１２において、基地局２は基地局１へメッセージ４を送信する。
【０２５１】
ここで、基地局２が基地局１へ送信したメッセージ４は衝突を解決することに用いられて、即ち衝突解決メッセージである。基地局２が基地局１へ送信したメッセージには、ＵＥに割り当てられたアップリンク許可リソース、セル３のセルアイデンティティー及びＵＥのアイデンティティーが含まれる。
【０２５２】
ステップ１１１３において、基地局１はメッセージ４を受信した後にＣ−ＲＮＴＩ−１を使用してＵＥへメッセージ４を送信する。
【０２５３】
ここで、基地局１がＵＥへ送信したメッセージ４には、基地局２がＵＥへ割り当てたアップリンク許可リソース及びセル３のセルアイデンティティーが含まれる。
【０２５４】
ステップ１１１４において、ＵＥは、メッセージ４を受信した後、受信されたメッセージ４には基地局２がＵＥへ割り当てたアップリンク許可リソース及びセル３のセルアイデンティティーが含まれたと確認し、ランダムアクセスプロセスが成功すると認める。
【０２５５】
ここで、セル３及びセル４に対応するＴＡ値は同じなので、ランダムアクセスプロセスが完了された後に、ＵＥはＴＡ値を用いてセル３及びセル４でアップリンクデータ送信を行うことができる。
【０２５６】
説明する必要があるのは、ステップ１１０９、１１１０、１１１２、１１１３におけるメッセージにはいずれもセル３のセルアイデンティティーが含まれて、セルアイデンティティーであってもよく、基地局２のセル３でランダムアクセスプロセスを行うことを標識し表明できる他のアイデンティティーであってもよく、例えば、セル３のサービスセルアイデンティティー、基地局２のアイデンティティーなどであってもよいことである。
【０２５７】
説明する必要があるのは、実施例５ないし実施例１１に述べられたプロセスについて、ＵＥが２つの基地局とデータ接続を確立する時にスモールセルでランダムアクセスを行うプロセスであり、ＵＥが三つ以上の基地局とデータ接続を確立する時にスモールセルでランダムアクセスを行うプロセスは、ＵＥが２つの基地局とデータ接続を確立する時にスモールセルでランダムアクセスを行うプロセスと同じであり、ここで詳細な説明を省略する。
【０２５８】
実施例５ないし実施例１１に述べられたプロセスは、制御接続がマクロセルが属している基地局に確立されたことを例として説明するのだ。即ち、制御接続がスモールセル基地局が属している基地局に確立された時にスモールセルでランダムアクセスを行うプロセスは、制御接続がマクロセルが属している基地局に確立された時にスモールセルでランダムアクセスを行うプロセスと同じである。ここで詳細な説明を省略する。
【０２５９】
実施例１に係る方法を実現するために、本発明実施例は、さらに、ＵＥを提供し、図１２に示すように、当該ＵＥには送信モジュール１２１及び受信モジュール１２２が含まれる。
【０２６０】
送信モジュール１２１は、指定スモールセルで前記指定スモールセルが属している基地局へ前記指定スモールセルに対応する専用ランダムアクセスプリアンブルコードを送信するように構成される。
【０２６１】
受信モジュール１２２は、前記マスターコントロールセルが属している基地局または前記指定スモールセルが属している基地局から送信されたランダムアクセス応答メッセージを受信し、ランダムアクセスプロセスを完了するように構成される。
【０２６２】
ここで、当該ＵＥにはさらに確定モジュールが含まれる。前記確定モジュールは、デュアルコネクティビティにおいてマスターコントロールセルが属している基地局と前記指定スモールセルが属している基地局の協議結果及び通知された前記指定スモールセルに基づいて、前記指定スモールセルに対応する専用ランダムアクセスプリアンブルコードを確定し、または、デュアルコネクティビティにおいてマスターコントロールセルが属している基地局と前記指定スモールセルが属している基地局の協議結果及び通知された前記専用ランダムアクセスプリアンブルコードに対応する専用ランダムアクセスプリアンブルパラメータに基づいて、前記指定スモールセルを確定するように構成される。
【０２６３】
ここで、前記協議結果には、前記マスターコントロールセルが属している基地局及び前記指定スモールセルが属している基地局それぞれの専用ランダムアクセスプリアンブルリソースが含まれる。
【０２６４】
前記専用ランダムアクセスプリアンブルパラメータは、具体的に専用ランダムアクセスプリアンブルインデックスなどであってもよい。
【０２６５】
ここで、受信モジュール１２２は、従来技術に基づいて前記専用ランダムアクセスプリアンブルパラメータに対応する専用ランダムアクセスプリアンブルコードを取得できる。
【０２６６】
実際に適用する時に、送信モジュール１２１は、ＵＥにおけるトランスミッターで実現されることができ、受信モジュール１２２は、ＵＥにおける受信機で実現されることができ、確定モジュールは、ＵＥにおける中央処理機（ＣＰＵ、Ｃｅｎｔｒａｌ  Ｐｒｏｃｅｓｓｉｎｇ  Ｕｎｉｔ）、デジタル信号処理機（ＤＳＰ、Ｄｉｇｉｔａｌ  Ｓｉｇｎａｌ  Ｐｒｏｃｅｓｓｏｒ）またはフィールドプログラマブルゲートアレイ（ＦＰＧＡ、Ｆｉｅｌｄ−Ｐｒｏｇｒａｍｍａｂｌｅ  Ｇａｔｅ  Ａｒｒａｙ）で実現されることができる。
【０２６７】
実施例２に係る方法を実現するために、本発明実施例は、さらに、基地局を提供し、図１３に示すように、当該基地局がデュアルコネクティビティにおいてマスターコントロールセルが属している基地局であり、当該基地局には記憶モジュール１３１及び通知モジュール１３２が含まれる。
【０２６８】
記憶モジュール１３１は、前記指定セルの専用ランダムアクセスプリアンブルコードに対応する専用ランダムアクセスプリアンブルパラメータなどのような指定セルの相関情報を記憶するように構成される。
【０２６９】
通知モジュール１３２は、ＵＥが指定スモールセルでランダムアクセスプロセスを開始するように通知し、および／または前記指定スモールセルの専用ランダムアクセスプリアンブルコードに対応する専用ランダムアクセスプリアンブルパラメータを通知するように構成される。
【０２７０】
ここで、前記デュアルコネクティビティは、ＵＥが異なる基地局に属する２つ以上のセルとデータ接続を同時に保持することを指している。
【０２７１】
前記マスターコントロールセルは、データ伝送速度及び正しさを保証するように、確立された複数のデータ接続を制御と管理することを担当する。
【０２７２】
前記通知モジュール１３２は、前記マスターコントロールセルが属している基地局がＰＤＣＣＨ  ｏｒｄｅｒ、ＭＡＣシグナルまたはＲＲＣシグナルを介してＵＥが前記指定スモールセルでランダムアクセスプロセスを開始するように通知し、および／または前記専用ランダムアクセスプリアンブルコードに対応する専用ランダムアクセスプリアンブルパラメータを通知するように構成される。
【０２７３】
前記通知モジュール１３２は、さらに、前記マスターコントロールセルが属している基地局及び前記指定スモールセルが属している基地局それぞれの専用ランダムアクセスプリアンブルリソースが含まれた協議結果をＵＥへ送信するように構成される。ここで、前記専用ランダムアクセスプリアンブルパラメータは、具体的に、専用ランダムアクセスプリアンブルインデックスなどであってもよい。
【０２７４】
前記通知モジュール１３２は、さらに、前記指定スモールセルが属している基地局へＵＥが前記指定スモールセルでランダムアクセスプロセスを開始するように通知し、及び対応する専用ランダムアクセスプリアンブルパラメータを通知するように構成される。
【０２７５】
実際に適用する時に、記憶モジュール１３１は、基地局におけるメモリーによって実現されることができ、通知モジュール１３２は、基地局におけるトランスミッターによって実現されることができる。
【０２７６】
実施例３に示す方法を実現するために、本発明実施例は、さらに、デュアルコネクティビティにおいてスモールセルでランダムアクセスを行うシステムを提供し、図１４に示すように、当該システムには、第１基地局１４１、第１ＵＥ１４２及び第２基地局１４３が含まれる。
【０２７７】
第１基地局１４１は、デュアルコネクティビティにおいてマスターコントロールセルが属している基地局であり、第１ＵＥ１４２が指定スモールセルでランダムアクセスプロセスを開始するように通知し、および／または前記専用ランダムアクセスプリアンブルコードに対応する専用ランダムアクセスプリアンブルパラメータを通知するように構成される。
【０２７８】
第１ＵＥ１４２は、第１基地局１４１の通知を受信した後、前記指定スモールセルで前記指定スモールセルが属している第２基地局１４３へ前記指定スモールセルに対応する専用ランダムアクセスプリアンブルコードを送信し、かつ第１基地局１４１または第２基地局１４３から送信されたランダムアクセス応答メッセージを受信してランダムアクセスプロセスを完了するように構成される。
【０２７９】
一つの実施例において、第１基地局１４１の通知モジュールは、第１ＵＥ１４２が指定スモールセルでランダムアクセスプロセスを開始するように通知することができ、および／または前記専用ランダムアクセスプリアンブルコードに対応する専用ランダムアクセスプリアンブルパラメータを通知することができる。
【０２８０】
一つの実施例において、第１ＵＥ１４２の送信モジュールは、前記指定スモールセルで前記指定スモールセルが属している第２基地局１４３へ前記指定スモールセルに対応する専用ランダムアクセスプリアンブルコードを送信でき、第１ＵＥ１４２の受信モジュールが、第１基地局１４１または第２基地局１４３から送信されたランダムアクセス応答メッセージを受信してランダムアクセスプロセスを完了できる。
【０２８１】
ここで、前記第１基地局１４１は、第１ＵＥ１４２が前記指定スモールセルでランダムアクセスプロセスを開始するように通知する時に、または、前記専用ランダムアクセスプリアンブルコードに対応する専用ランダムアクセスプリアンブルパラメータを第１ＵＥ１４２に通知する時に、前記第１基地局１４１は、さらに、第２基地局１４３と協議してそれぞれの専用ランダムアクセスプリアンブルパラメータを取得してかつ第１ＵＥ１４２へ協議結果を送信するように構成される。
【０２８２】
第１ＵＥ１４２は、さらに、指定スモールセルで前記指定スモールセルが属している基地局へ前記指定スモールセルに対応する専用ランダムアクセスプリアンブルコードを送信する前に、前記ネゴシエーション（協議）結果及び通知された前記指定スモールセルに基づいて前記指定スモールセルに対応する専用ランダムアクセスプリアンブルコードを確定するように構成され、または、前記協議結果及び通知された前記専用ランダムアクセスプリアンブルコードに対応する専用ランダムアクセスプリアンブルパラメータに基づいて前記指定スモールセルを確定するように構成される。
【０２８３】
１つの実施例において、第１ＵＥ１４２の確定モジュールが、前記協議結果及び通知された前記指定スモールセルに基づいて前記指定スモールセルに対応する専用ランダムアクセスプリアンブルコードを確定でき、または、前記協議結果及び通知された前記専用ランダムアクセスプリアンブルコードに対応する専用ランダムアクセスプリアンブルパラメータに基づいて前記指定スモールセルを確定できる。
【０２８４】
ここで、前記協議結果には、前記マスターコントロールセルが属している基地局及び前記指定スモールセルが属している基地局それぞれの専用ランダムアクセスプリアンブルリソースが含まれる。
【０２８５】
ここで、前記専用ランダムアクセスプリアンブルパラメータは、具体的に、専用ランダムアクセスプリアンブルインデックスなどであってもよい。
【０２８６】
ここで、ＵＥは従来技術に基づいて前記専用ランダムアクセスプリアンブルパラメータに対応する専用ランダムアクセスプリアンブルコードを取得できる。
【０２８７】
前記第１基地局１４１は、さらに、第１ＵＥ１４２が前記スモールセルでランダムアクセスプロセスを開始すること及び対応する専用ランダムアクセスプリアンブルパラメータを第２基地局１４３へ通知するように構成される。
【０２８８】
前記第２基地局１４３は、第１ＵＥ１４２から送信された前記専用ランダムアクセスプリアンブルコードを受信した後、ＴＡ値を計算し、計算が完了した後に第１基地局１４１に通知するように構成される。
【０２８９】
前記第１基地局１４１は、さらに、第２基地局１４３の通知を受信した後に、第１ＵＥ１４２へランダムアクセス応答メッセージを送信するように構成され、または、
前記第２基地局１４３は、さらに、第１ＵＥ１４２から送信された前記専用ランダムアクセスプリアンブルコードを受信した後、ＴＡ値を計算し、計算が完了した後に、第１ＵＥ１４２へランダムアクセス応答メッセージを送信するように構成される。
【０２９０】
ここで、本発明実施例の前記システムにおいて、第１基地局及び第２基地局の具体的な処理プロセスについて、上記の記載に詳しく説明したが、ここで詳細な説明を省略する。
【０２９１】
実施例に記載された方法を実現するために、本発明実施例は、また、もう一つのデュアルコネクティビティにおいてスモールセルでランダムアクセスを行うシステムを提供し、図１５に示すように、当該システムには、第三基地局１５１、第２ＵＥ１５２、第４基地局１５３が含まれる。
【０２９２】
第２ＵＥ１５２は、指定スモールセルで前記指定スモールセルが属している第４基地局１５３へ自分により選ばれた専用ランダムアクセスプリアンブルコードを送信し、デュアルコネクティビティにおいてマスターコントロールセルが属している第三基地局１５１から送信されたランダムアクセス応答メッセージを受信した後に、第三基地局１５１を通じて第４基地局１５３へスケジューリングされた伝送メッセージを送信し、かつ第４基地局１５３から返答された衝突解決メッセージを受信するように構成される。
【０２９３】
第４基地局１２３は、第三基地局１５１を通じて第２ＵＥ１５２へ衝突解決メッセージを返答してランダムアクセスプロセスを完了するように構成される。
【０２９４】
前記第三基地局１５１は、第２ＵＥ１５２が前記指定スモールセルでランダムアクセスプロセスを開始するように通知するように構成される。
【０２９５】
前記第２ＵＥ１５２は、第三基地局１５１から送信された通知を受信した後に、前記指定スモールセルで第４基地局１５３へ自分により選ばれた専用ランダムアクセスプリアンブルコードを送信するように構成される。
【０２９６】
ここで、本発明実施例の前記システムにおいて、第三基地局、第２ＵＥ及び第４基地局の具体的な処理プロセスは、上記の記載に詳しく説明したが、ここで詳細な説明を省略する。
【０２９７】
本発明の実施例は、方法、システムまたはコンピュータープログラム製品として提供されてもよい。だから、本発明はハードウェア実施例、ソフトウェア実施例またはソフトウェアとハードウェアを結びつける実施例の形態を使用してもよい。また、本発明は、一つまたは複数のコンピューターが使用可能なプログラマコードを含むコンピューターが使用可能な記憶媒体（ディスクメモリー、光メモリーなどが含まれるが限定されない）で実行されたコンピュータープログラマ製品的形態を使用してもよい。上記内容について当業者はわかるすべきである。
【０２９８】
本発明は、本発明実施例の方法、デバイス（システム）およびコンピュータープログラマ製品のフローチャートおよび／またはブロック図に基づいて述べられたものである。コンピュータープログラマコマンドによりフローチャートおよび／またはブロック図における各フローおよび／またはブロック、およびフローチャートおよび／またはブロック図におけるフローおよび／またはブロックの結び付けることを実現すると理解すべきである。コンピューターまたは他のプログラミング可能なデータ処理デバイスのプロセッサを通じて実行されたコマンドによって、フローチャートの一つのフローまたは複数のフローおよび／またはブロック図の一つのブロックまたは複数のブロックの指定された機能を実現するための装置を作るように、これらのコンピュータープログラマコマンドを通用コンピューター、専用コンピューター、エンベデッドプロセッサまたはほかのプログラム可能なデータ処理デバイスのプロセッサに提供し、機器を作ることができる。
【０２９９】
コンピューターが読み取る可能なメモリーに記憶されたコマンドはコマンド装置を含む製品を作るように、これらのコンピュータープログラマコマンドも、コンピューターまたは他のプログラム可能なデータ処理デバイスを案内して特定形態で動作するコンピューターが読み取る可能なメモリーに記憶できる。当該コマンド装置はフローチャートの一つのフローまたは複数のフローおよび／またはブロック図の一つのブロックまたは複数のブロックに指定された機能を実現することに用いられる。
【０３００】
コンピューターまたは他のプログラミング可能なデバイスで一連の操作ステップを実行してコンピューターにより実現された処理を生成し、コンピューターまたは他のプログラミング可能なデバイスに実行されたコマンドがフローチャートの一つのフローまたは複数のフローおよび／またはブロック図の一つのブロックまたは複数のブロックに指定された機能を実現するためのステップを提供するように、これらのコンピュータープログラマコマンドは、コンピューターまたはほかのプログラミング可能なデータ処理デバイスにもロードしてもよい。
【０３０１】
以上は、本発明の好ましい実施例に過ぎず、本発明の特許範囲を限定するものではない。
【図１】
2016532338.tif 000003
【図２】
2016532338.tif 000004
【図３】
2016532338.tif 000005
【図４】
2016532338.tif 000006
【図５】
2016532338.tif 000007
【図６】
2016532338.tif 000008
【図７】
2016532338.tif 000009
【図８】
2016532338.tif 000010
【図９】
2016532338.tif 000011
【図１０】
2016532338.tif 000012
【図１１】
2016532338.tif 000013
【図１２】
2016532338.tif 000014
【図１３】
2016532338.tif 000015
【図１４】
2016532338.tif 000016
【図１５】
2016532338.tif 000017
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
デュアルコネクティビティにおいてスモールセルでランダムアクセスを行う方法であって、
ユーザーデバイス（ＵＥ）は、指定スモールセルで前記指定スモールセルに対応する専用ランダムアクセスプリアンブルコードを前記指定スモールセルが属している基地局へ送信することと、
前記ＵＥは、デュアルコネクティビティにおいてマスターコントロールセルが属している基地局または前記指定スモールセルが属している基地局から送信されたランダムアクセス応答メッセージを受信することとを含む、方法。
【請求項２】
前記ＵＥが指定スモールセルで前記指定スモールセルに対応する専用ランダムアクセスプリアンブルコードを前記指定スモールセルが属している基地局へ送信する前に、前記方法は、さらに、
前記ＵＥは、デュアルコネクティビティにおいてマスターコントロールセルが属している基地局と前記指定スモールセルが属している基地局との協議結果及び通知された前記指定スモールセルに基づいて、前記指定スモールセルに対応する専用ランダムアクセスプリアンブルコードを確定すること、または、
前記ＵＥは、デュアルコネクティビティにおいてマスターコントロールセルが属している基地局と前記指定スモールセルが属している基地局との協議結果及び通知された前記専用ランダムアクセスプリアンブルコードに対応する専用ランダムアクセスプリアンブルパラメータに基づいて、前記指定スモールセルを確定することとを含み、
前記協議結果には、前記マスターコントロールセルが属している基地局及び前記指定スモールセルが属している基地局それぞれの専用ランダムアクセスプリアンブルリソースが含まれる
ことを特徴とする請求項１に記載の方法。
【請求項３】
デュアルコネクティビティにおいてスモールセルでランダムアクセスを行う方法であって、
デュアルコネクティビティにおいてマスターコントロールセルが属している基地局は、ＵＥが指定スモールセルでランダムアクセスプロセスを開始するように通知し、および／または前記指定スモールセルの専用ランダムアクセスプリアンブルコードに対応する専用ランダムアクセスプリアンブルパラメータを通知することを含む、方法。
【請求項４】
前記ＵＥが指定スモールセルでランダムアクセスプロセスを開始するように通知し、および／または前記専用ランダムアクセスプリアンブルコードに対応する専用ランダムアクセスプリアンブルパラメータを通知することは、
前記マスターコントロールセルが属している基地局は、物理下りリンク制御チャネルシグナル（ＰＤＣＣＨ  ｏｒｄｅｒ）、媒体アクセス制御（ＭＡＣ）シグナル、または無線リソース制御（ＲＲＣ）シグナルを介してＵＥが前記指定スモールセルでランダムアクセスプロセスを開始するように通知し、および／または前記専用ランダムアクセスプリアンブルコードに対応する専用ランダムアクセスプリアンブルパラメータを通知することである
ことを特徴とする請求項３に記載の方法。
【請求項５】
前記マスターコントロールセルが属している基地局は、ＵＥが前記指定スモールセルでランダムアクセスプロセスを開始するように通知しまたは前記専用ランダムアクセスプリアンブルコードに対応する専用ランダムアクセスプリアンブルパラメータをＵＥへ通知する前に、前記方法は、さらに、
前記マスターコントロールセルが属している基地局は、前記マスターコントロールセルが属している基地局および前記指定スモールセルが属している基地局それぞれの専用ランダムアクセスプリアンブルリソースが含まれた協議結果をＵＥへ送信することを含む
ことを特徴とする請求項３に記載の方法。
【請求項６】
前記方法は、さらに、
前記マスターコントロールセルが属している基地局は、前記指定スモールセルが属している基地局へＵＥが前記指定スモールセルでランダムアクセスプロセスを開始するように通知し、および、対応する専用ランダムアクセスプリアンブルパラメータを通知することとを含む
ことを特徴とする請求項３に記載の方法。
【請求項７】
前記専用ランダムアクセスプリアンブルパラメータは専用ランダムアクセスプリアンブルインデックスである
ことを特徴とする請求項３に記載の方法。
【請求項８】
前記ＵＥが前記マスターコントロールセルが属している基地局または前記指定スモールセルが属している基地局から送信されたランダムアクセス応答メッセージを受信する前に、前記方法は、さらに、
前記指定スモールセルが属している基地局は、前記専用ランダムアクセスプリアンブルコードを受信した後に、タイミングアドバンス（ＴＡ）値を計算し、計算が完了した後に前記マスターコントロールセルが属している基地局へ通知し、前記マスターコントロールセルが属している基地局は通知を受信した後にＵＥへランダムアクセス応答メッセージを送信すること、または、
前記指定スモールセルが属している基地局は、前記専用ランダムアクセスプリアンブルコードを受信した後にＴＡ値を計算し、計算が完了した後にＵＥへランダムアクセス応答メッセージを送信することを含む
ことを特徴とする請求項１に記載の方法。
【請求項９】
デュアルコネクティビティにおいてスモールセルでランダムアクセスを行う方法であって、
ＵＥは指定スモールセルで前記指定スモールセルが属している基地局へ自分により選ばれた専用ランダムアクセスプリアンブルコードを送信することと、
ＵＥはデュアルコネクティビティにおいてマスターコントロールセルが属している基地局から送信されたランダムアクセス応答メッセージを受信した後に、前記マスターコントロールセルが属している基地局を通じてスケジューリングされた伝送メッセージを前記指定スモールセルが属している基地局へ送信することと、
前記指定スモールセルが属している基地局は、前記マスターコントロールセルが属している基地局を通じて衝突解決メッセージをＵＥへ返答することとを含む、方法。
【請求項１０】
前記ＵＥが指定スモールセルで前記指定スモールセルが属している基地局へ自分により選ばれた専用ランダムアクセスプリアンブルコードを送信する前に、前記方法は、さらに、
前記マスターコントロールセルが属している基地局はＵＥが前記指定スモールセルでランダムアクセスプロセスを開始するように通知することを含む
ことを特徴とする請求項９に記載の方法。
【請求項１１】
前記マスターコントロールセルが属している基地局はＵＥが前記指定スモールセルでランダムアクセスプロセスを開始するように通知することは
前記マスターコントロールセルが属している基地局は、ＰＤＣＣＨ  ｏｒｄｅｒ、ＭＡＣシグナルまたはＲＲＣシグナルを介して、ＵＥが前記指定スモールセルでランダムアクセスプロセスを開始するように通知する
ことを特徴とする請求項１０に記載の方法。
【請求項１２】
前記マスターコントロールセルが属している基地局を通じてスケジューリングされた伝送メッセージを前記指定スモールセルが属している基地局へ送信することは、
前記マスターコントロールセルが属している基地局は受信されたスケジューリングされた伝送メッセージにおける前記指定スモールセルのアイデンティティーに基づいてスケジューリングされた伝送メッセージを前記指定スモールセルが属している基地局へ伝送することである
ことを特徴とする請求項９に記載の方法。
【請求項１３】
前記指定スモールセルが属している基地局が前記マスターコントロールセルが属している基地局を通じて衝突解決メッセージをＵＥへ返答することは、
前記指定スモールセルが属している基地局は、衝突解決メッセージを生成した後に、前記マスターコントロールセルが属している基地局へ衝突解決メッセージを送信し、前記マスターコントロールセルが属している基地局は受信された衝突解決メッセージにおける前記指定スモールセルのアイデンティティーとＵＥのアイデンティティーに基づいて衝突解決メッセージをＵＥへ伝送することである
ことを特徴とする請求項９に記載の方法。
【請求項１４】
ＵＥであって、
指定スモールセルで前記指定スモールセルに対応する専用ランダムアクセスプリアンブルコードを前記指定スモールセルが属している基地局へ送信するように構成される送信モジュールと、
前記マスターコントロールセルが属している基地局または前記指定スモールセルが属している基地局から送信されたランダムアクセス応答メッセージを受信するように構成される受信モジュールとを含む、ＵＥ。
【請求項１５】
前記ＵＥには、さらに確定モジュールが含まれ、
前記確定モジュールは、デュアルコネクティビティにおいてマスターコントロールセルが属している基地局と前記指定スモールセルが属している基地局との協議結果及び通知された前記指定スモールセルに基づいて、前記指定スモールセルに対応する専用ランダムアクセスプリアンブルコードを確定し、または、デュアルコネクティビティにおいてマスターコントロールセルが属している基地局と前記指定スモールセルが属している基地局との協議結果及び通知された前記専用ランダムアクセスプリアンブルコードに対応する専用ランダムアクセスプリアンブルパラメータに基づいて、前記指定スモールセルを確定するように構成され、
前記協議結果には、前記マスターコントロールセルが属している基地局及び前記指定スモールセルが属している基地局それぞれの専用ランダムアクセスプリアンブルリソースが含まれる
ことを特徴とする請求項１４に記載のＵＥ。
【請求項１６】
基地局であって、
記憶モジュールと、
ＵＥが指定スモールセルでランダムアクセスプロセスを開始するように通知し、および／または前記指定スモールセルの専用ランダムアクセスプリアンブルコードに対応する専用ランダムアクセスプリアンブルパラメータを通知するように構成される通知モジュールとが含まれる、基地局。
【請求項１７】
前記通知モジュールは、さらに
前記マスターコントロールセルが属している基地局および前記指定スモールセルが属している基地局それぞれの専用ランダムアクセスプリアンブルリソースが含まれた協議結果をＵＥへ送信するように構成される
ことを特徴とする請求項１６に記載の基地局。
【請求項１８】
前記通知モジュールは、さらに
前記指定スモールセルが属している基地局へＵＥが前記指定スモールセルでランダムアクセスプロセスを開始するように通知し、対応する専用ランダムアクセスプリアンブルパラメータを通知するように構成される
ことを特徴とする請求項１６に記載の基地局。
【請求項１９】
コンピューター記憶媒体であって、1グループのコマンドを含み、
前記コマンドが実行される場合、少なくとも１つのプロセッサが請求項１〜２のいずれか一項または請求項８または請求項３〜７のいずれか一項または請求項９〜１３のいずれか一項に記載のデュアルコネクティビティにおいてスモールセルでランダムアクセスを行う方法を実行するようにする、コンピューター記憶媒体。
【国際調査報告】
2016532338.tif 000018
2016532338.tif 000019
2016532338.tif 000020
2016532338.tif 000021